(57)【要約】本発明は、通信システムのチャネル品質を報告するためのメッセージ、対応する方法ならびにその方法を実行する装置に関係する。本発明は、第３世代パートナーシップ・プロジェクト（３ＧＰＰ）により標準化された３ＧＰＰ  ＬＴＥおよびＬＴＥ‐Ａシステムに特に適用可能である。本発明は、チャネル品質情報のサイズの明確な判断を可能にする様式で、チャネル品質情報を伝達できるようにする構成物（メッセージ）を提供する。これは、既知のビット数からなる第１のチャネル品質フィールド（７０１）と可変のビット数からなる第２のチャネル品質フィールド（７０２）とを含むメッセージを定義することによって実現される。第２のチャネル品質フィールド（７０２）のビット数と構成（ビットの内容の）は、第１のチャネル品質フィールド（７０１）のビットの内容によって示される。【選択図】図７
2012520643.tif 000002
【特許請求の範囲】
【請求項１】
通信システムのチャネル品質を報告するためのメッセージであって、
既知のビット数からなる第１のチャネル品質フィールドと、
可変のビット数からなる第２のチャネル品質フィールドと、を含み、
前記第２のチャネル品質フィールドのビット数および構成は、前記第１のチャネル品質フィールドのビットの内容によって指示される、メッセージ。
【請求項２】
制御情報および／またはユーザ・データを伝えるためのフィールドをさらに含む、請求項１に記載のメッセージ。
【請求項３】
前記第１のチャネル品質フィールドは、複数のコンポーネント・キャリアの各々についての第１の品質測度を示し、さらに、前記コンポーネント・キャリアの各々について、前記第２のチャネル品質フィールドが前記各コンポーネント・キャリアに適用される第２のチャネル品質測度を含むか否かを示す、請求項１または２に記載のメッセージ。
【請求項４】
前記第１のチャネル品質フィールドは、前記第２のチャネル品質フィールドが前記各コンポーネント・キャリアに関連した制御情報を含むか否かを示す、請求項３に記載のメッセージ。
【請求項５】
前記第１のチャネル品質フィールドの前記既知のビット数は、基地局と通信端末間との間の通信に利用可能なコンポーネント・キャリアの数に依存する、請求項１〜４の何れか１項に記載のメッセージ。
【請求項６】
前記第１のチャネル品質フィールドは、ある数のサブフィールドからなり、
各サブフィールドは、前記各コンポーネント・キャリアに関連付けられ、
前記サブフィールドの数は、基地局と通信端末間との間の通信に利用可能な前記コンポーネント・キャリアの数によって定義される、
請求項１〜５の何れか１項に記載のメッセージ。
前記第１のチャネル品質フィールドの前記各サブフィールドのサイズは、各コンポーネント・キャリアに対して適用された複数のチャネル品質報告モードの何れか一つの報告モードに依存する、請求項６に記載のメッセージ。
前記第２のチャネル品質フィールドは、ある数のサブフィールドに分割され、
前記第２のチャネル品質フィールドの各サブフィールドのサイズは、前記第２のチャネル品質フィールドの各サブフィールドに関連付けられたコンポーネント・キャリアに対して適用された前記複数のチャネル品質報告モードの何れか一つの報告モードに依存する、請求項６または７に記載のメッセージ。
【請求項７】
前記第１のチャネル品質フィールドは複数のフラグを含み、
各フラグは、基地局と端末間の通信に利用可能な複数のコンポーネント・キャリアの各コンポーネント・キャリアに関連付けられ、
前記第１のチャネル品質フィールドの各フラグは、各コンポーネント・キャリアについてのチャネル品質測度が前記第２のチャネル品質フィールド中に存在するか否かを示す、請求項６〜８の何れか１項に記載のメッセージ。
【請求項８】
前記第１のチャネル品質フィールドは複数のチャネル品質測度を含み、
各チャネル品質測度は、基地局と端末間の通信に利用可能な複数のコンポーネント・キャリアの各コンポーネント・キャリアのチャネル品質測度を与え、
前記第１のチャネル品質フィールドの各チャネル品質測度は、各コンポーネント・キャリアについての第２のチャネル品質測度が前記第２のチャネル品質フィールド中に存在するか否かを示す、
請求項６〜８の何れか１項に記載のメッセージ。
【請求項９】
前記第１のチャネル品質フィールドに含まれた各コンポーネント・キャリアのチャネル品質測度は、ワイドバンド変調および符号化方式インジケータ（ＷＢ ＭＣＳＩ）および／またはワイドバンド・ランク・インジケータ（ＷＢ ＲＩ）からなる、請求項１〜８、１０の何れか１項に記載のメッセージ。
【請求項１０】
あるコンポーネント・キャリアについての前記ワイドバンド変調および符号化方式インジケータまたは前記ワイドバンド・ランク・インジケータが「範囲外」を示す場合、そのコンポーネント・キャリアのチャネル品質測度は前記第２のチャネル品質フィールド中に含まれない、請求項１１に記載のメッセージ。
【請求項１１】
通信システムにおいてメッセージを送信するための方法であって、
無線インタフェース上のリソースを割り当てる制御シグナリングを受信するステップと、
請求項１〜１２の何れか１項に記載のメッセージを作成するステップと、
前記割り当てられたリソースを用いて前記メッセージを送信するステップと、
を有する方法。
【請求項１２】
複数のコンポーネント・キャリアが基地局と端末間の通信に利用可能であり、
前記コンポーネント・キャリアの各々に対して、複数のチャネル品質報告モードのうちから報告モードを設定する制御シグナリングを受信するステップをさらに有し、
前記送信されるメッセージは、前記個々のコンポーネント・キャリアに対して設定された前記報告モードに従って作成される、
請求項１３に記載の方法。
【請求項１３】
基地局と端末との間の通信に利用可能な複数のコンポーネント・キャリアの少なくとも一部のサブセットのチャネル品質を測定することによって、それらのコンポーネント・キャリアについてのチャネル品質測度を得るステップと、
前記チャネル品質が測定された各個別のコンポーネント・キャリアについて、前記チャネル品質測定結果に基づいて、前記各コンポーネント・キャリアについてのチャネル品質測度を前記メッセージの第２のチャネル品質フィールド中に含めるか否かを決定するステップとをさらに有する、請求項１３または１４に記載の方法。
【請求項１４】
前記各コンポーネント・キャリアに対しての決定は、前記作成されたメッセージの内容に影響する
【請求項１５】
各コンポーネント・キャリアについての前記チャネル品質の測定は、前記コンポーネント・キャリアの全帯域幅に対するワイドバンド測定を行なうことを含み、
前記各コンポーネント・キャリアについて、チャネル品質測度を前記メッセージの前記第２のチャネル品質フィールドに含めるか否かの決定は、前記ワイドバンド測定の結果に基づく、請求項１５に記載の方法。
【請求項１６】
各コンポーネント・キャリアについての前記チャネル品質の測定は、各コンポーネント・キャリアについて、ワイドバンド変調および符号化方式インジケータおよび／またはワイドバンド・ランク・インジケータを決定することを含む、請求項１５または１６に記載の方法。
【請求項１７】
ネットワーク側から移動端末への通信に利用可能な前記複数のコンポーネント・キャリアをシグナリングするステップをさらに有する、請求項１３〜１７の何れか１項に記載の方法。
【請求項１８】
無線インタフェース上の前記リソースを割り当てる前記制御シグナリングは、前記メッセージの符号化ビット総数Ｔを示し、
前記方法は、次の式
【数１】
2012520643.tif 000009
ここで、ＣＱ１は第１のチャネル品質フィールドの符号化ビット数であり、ＣＱ２は第２のチャネル品質フィールドの符号化ビット数である、が満たされるように、前記第１および第２のチャネル品質フィールドのビットを符号化するための符号化率を適応させるステップをさらに有する、請求項１〜１８の何れか１項に記載の方法。
【請求項１９】
無線インタフェース上の前記リソースを割り当てる前記制御シグナリングは、前記メッセージの符号化ビット総数Ｔを示し、
前記方法は、次の式
【数２】
2012520643.tif 000010
ここで、Ｒは符号化された制御情報ビットおよび／または符号化されたユーザ・データ・ビットの数であり、ＣＱ１は第１のチャネル品質フィールドの符号化ビット数であり、ＣＱ２は第２のチャネル品質フィールドの符号化ビット数である、が満たされるように、符号化された制御情報ビットおよび／または符号化されたユーザ・データビットを前記メッセージに追加するステップをさらに有する、請求項１〜１８の何れか１項に記載の方法。
【請求項２０】
無線インタフェース上の前記リソースを割り当てる前記制御シグナリングは、変調方式を示し、
前記方法は、前記メッセージの符号化されたビットを前記変調方式に従って変調するステップをさらに有する、請求項１９または２０に記載の方法。
【請求項２１】
前記方法は、基地局との通信に利用可能な複数のコンポーネント・キャリアの一つに対して不連続受信モードになる通信端末によって実行され、
前記通信端末は、前記メッセージの前記第１のチャネル品質フィールド中で、前記端末が不連続受信モードであるコンポーネント・キャリアについてのチャネル品質情報は前記メッセージの前記第２のチャネル品質フィールド中で送信されないことを示す、請求項１３〜２１の何れか１項に記載の方法。
【請求項２２】
通信システムの無線インタフェースを介してメッセージを基地局へ送信するための通信端末であって、
無線インタフェース上のリソースを割り当てる制御シグナリングを受信するための受信器と、
請求項１〜１１の何れか１項に記載の前記メッセージを作成するための処理ユニットと、
割り当てられた前記リソースを用いて前記メッセージを前記基地局へ送信するための送信器と、
を備える通信端末。
【請求項２３】
請求項１３〜２２の何れか１項に記載の方法の各ステップを実行するように適合された手段をさらに備える、請求項２４に記載の通信端末。
【請求項２４】
通信システムの無線インタフェースを介してメッセージを通信端末へ送信するための基地局であって、
無線インタフェース上のリソースを割り当てる制御シグナリングを送信するための送信器と、
請求項１〜１２の何れか１項に記載の前記メッセージを作成するための処理ユニットと、
割り当てた前記リソースを用いて前記メッセージを前記通信端末へ送信するための送信器と、
を備える基地局。
【請求項２５】
請求項１３〜２１の何れか１項に記載の方法の各ステップを実行するように適合された手段をさらに備える、請求項２５に記載の基地局。
【請求項２６】
コンピュータにより読取り可能な媒体であって、通信端末のプロセッサにより実行時に、通信システムの無線インタフェースを介してメッセージを基地局へ送信するように前記通信端末を動作させ、
無線インタフェース上のリソースを割り当てる制御シグナリングを受信し、
請求項１〜１２の何れか１項に記載の前記メッセージを作成し、
割り当てられた前記リソースを用いて前記メッセージを前記基地局へ送信することによって、
前記通信端末に通信を行なわせる命令を記憶する媒体。
【請求項２７】
前記通信端末の前記プロセッサにより実行時に、請求項１３〜２２の何れか１項に記載の方法の各ステップを実行するように、前記通信端末を動作させる命令を記憶する、請求項２７に記載のコンピュータにより読取り可能な媒体。
【請求項２８】
コンピュータにより読取り可能な媒体であり、基地局のプロセッサにより実行時に、通信システムの無線インタフェースを介してメッセージを通信端末へ送信するように前記基地局を動作させ、
無線インタフェース上のリソースを割り当てる制御シグナリングを送信し、
請求項１〜１２の何れか１項に記載の前記メッセージを作成し、
割り当てた前記リソースを用いて前記メッセージを前記通信端末へ送信することによって、前記基地局に通信を行なわせる命令を記憶する媒体。
【請求項２９】
前記基地局の前記プロセッサにより実行時に、請求項１３〜２１の何れか１項に記載の方法の各ステップを実行するように、前記基地局を動作させる命令を記憶する、請求項２９に記載の媒体。
【発明の詳細な説明】
【技術分野】
【０００１】
本発明は、通信システムのチャネル品質を報告するためのメッセージと、対応する方法ならびにその方法を実行する装置に関係する。本発明は、第３世代パートナーシップ・プロジェクト（３ＧＰＰ）により標準化された３ＧＰＰ  ＬＴＥおよびＬＴＥ‐Ａシステムに特に適用可能である。
【背景技術】
【０００２】
チャネル品質報告
【０００３】
チャネル品質情報は、例えば、３ＧＰＰ  ＬＴＥ（長期的発展）などのマルチユーザ通信システムにおいて、一人以上のユーザにあてがわれたチャネル・リソースの品質を決定するために使用される。この情報は、チャネル・リソースを異なるユーザに当てるための、または割り当てられたチャネル・リソースをその最大限の潜在力で利用するように、変調方式、符号化率または送信電力などのリンク・パラメータを適応させるための、マルチユーザ・スケジューリング・アルゴリズムを援護するために使用され得る。
【０００４】
チャネル・リソースは、図１に例示されるような「リソース・ブロック」とし定義できる―ここでは、例えば、３ＧＰＰのＬＴＥ作業項目で議論されたような、例えば、ＯＦＤＭを採用するマルチユーザ通信システムが想定されている。より一般的には、一つのリソース・ブロックは、スケジューラが割当て可能な、移動通信の無線インタフェース上の最小のリソース単位を指すものと考えられる。一つのリソース・ブロックの大きさは、移動通信システムで使用されるアクセス方式に応じて、時間（時分割多重（ＴＤＭ）での、例えば、時間スロット、サブフレーム、フレームなど）、周波数（周波数分割多重（ＦＤＭ）での、例えば、サブバンド、キャリア周波数など）、符号（符号分割多重（ＣＤＭ）での、例えば、拡散符号）、アンテナ（例えば、多重入出力（ＭＩＭＯ））、等のいずれかの組み合わせであり得る。
【０００５】
最小のリソース・ユニットがリソース・ブロックであるとすると、理想的なケースでは、すべてのリソース・ブロックとすべてのユーザについてのチャネル品質情報が常に利用できるようになっているべきである。しかし、フィードバック・チャネルの容量は制約されているため、このことはおそらく実現できないであろうし、または不可能でさえある。したがって、例えば、あるユーザにあてがわれたリソース・ブロックのサブセット（一部）だけについてのチャネル品質情報を送信することによって、チャネル品質フィードバック・シグナリング・オーバーヘッドを削減するようにするための削減または圧縮技法が必要とされる。
【０００６】
３ＧＰＰ  ＬＴＥにおいては、チャネル品質が報告される最小の単位は、複数の周波数が隣接するリソース・ブロックからなるサブバンドと呼ばれる。
【０００７】
チャネル品質フィードバックの要素
【０００８】
一般に、移動通信システムは、チャネル品質フィードバックを伝達するために使用される特別な制御シグナリングを規定している。３ＧＰＰ  ＬＴＥにおいては、チャネル品質のフィードバックとして与えられることもまたは与えられないこともある三つの基本的な要素が存在する。これらのチャネル品質要素は、
‐  ＭＣＳＩ：変調および符号化方式インジケータ（これはＬＴＥの仕様ではチャネル品質インジケータ（ＣＱＩ）と呼ばれることもある）
‐  ＰＭＩ：予符号化マトリックス・インジケータ
‐  ＲＩ：ランク・インジケータ
である。
【０００９】
ＭＣＳＩは、送信に使用されるべき変調および符号化方式を示し、一方、ＰＭＩはＲＩによって示される送信マトリックス・ランクを使用してマルチアンテナ送信（ＭＩＭＯ）に使用されることになる予符号化マトリックス／ベクターを示す。これに関連する報告および送信メカニズムについての詳細は、参考文献として参照される以下にあげる仕様書中に述べられている（これらのすべての文書はhttp://www.3gpp.orgにて入手でき、参照することにより本書に援用される）。
‐  3GPP TS 36.211, “Evolved Universal Terrestrial Radio Access (E-UTRA); Physical channels and modulation”, version 8.5.0、とりわけ6.3.3節、6.3.4節、
‐  3GPP TS 36.212, “Evolved Universal Terrestrial Radio Access (E-UTRA); Multiplexing and channel coding”, version 8.5.0、とりわけ5.2.2節、5.2.4節、5.3.3節、
‐  3GPP TS 36.213, “Evolved Universal Terrestrial Radio Access (E-UTRA); Physical layer procedures”, version 8.5.0、とりわけ7.1.7節、7.2節。
【００１０】
３ＧＰＰ ＬＴＥにおいては、上記にあげた三つのチャネル品質要素のすべてが常に報告されるのではない。実際に報告される要素は、設定された報告モードに主に依存する。３ＧＰＰ  ＬＴＥはまた、二つの符号語の送信をサポートしており（すなわち、ユーザ・データの二つの符号語（トランスポート・ブロック）が単一のサブフレームに多重化されて送信可能であり）、そのため二つの符号語のどちらか一つに対してフィードバックを与えればよいことに留意すべきである。詳細は、次の節と下の表１でつまびらかにする。ここに示す情報は、上記の3GPP TS 36.213の7.2.1節に基づくものであることに留意されたい。
【表１】
2012520643.tif 000003
【００１１】
チャネル品質フィードバックのための各報告モードは、現在、３ＧＰＰ  ＬＴＥにおいて次のとおりに定義されている。
報告モード１‐２
この報告の内容：
‐  符号語当り１つのワイドバンドＭＣＳＩ値
‐  各サブバンドごとに１つの望ましいＰＭＩ
‐  送信モード４以外の送信モードの場合：１つのＲＩ値
報告モード２‐０
この報告の内容：
‐  １つのワイドバンドＭＣＳＩ値
‐  Ｍ個の選択されたサブバンドの位置
‐  Ｍ個の選択されたサブバンドに対する１つのＭＣＳＩ値（ワイドバンドＭＣＳＩ値とは異なる２ビット、非負）
‐  送信モード３以外の送信モードの場合：１つのＲＩ値
報告モード２‐２
この報告の内容：
‐  符号語当り１つのワイドバンドＭＣＳＩ値
‐  ワイドバンドに対する１つの望ましいＰＭＩ
‐  Ｍ個の選択されたサブバンドに対する１つのＭＣＳＩ値（ワイドバンドＭＣＳＩ値とは異なる２ビット、非負）
‐  送信モード３以外の送信モードの場合：１つのＲＩ値
‐  Ｍ個の選択されたサブバンドの位置
‐  符号語当りＭ個の選択されたサブバンドに対する１つのＭＣＳＩ値（ワイドバンドＭＣＳＩ値とは異なる２ビット、非負）
‐  送信モード４以外の送信モードの場合：１つのＲＩ値
送信モード４については、報告されたＰＭＩ値とＭＣＳＩ値は、報告されたＲＩ値を条件として計算される。その他の送信モードでは、上記の値はランク１を条件として報告される。
報告モード３‐０
この報告の内容：
‐  １つのワイドバンドＭＣＳＩ値
‐  サブバンド当り１つのＭＣＳＩ値（ワイドバンドＭＣＳＩ値とは異なる２ビット）
‐  送信モード３以外の送信モードの場合：１つのＲＩ値
報告モード３‐１
この報告の内容：
‐  符号語当り１つのワイドバンドＭＣＳＩ値
‐  ワイドバンドに対する１つの望ましいＰＭＩ
‐  サブバンド当り符号語当り１つのＭＣＳＩ値（ワイドバンドＭＣＳＩ値とは異なる２ビット）
‐  送信モード４以外の送信モードの場合：１つのＲＩ値
サブバンドという用語は、前に概説したとおり、ある数のリソース・ブロックを表わすためにここでは使用され、一方、ワイドバンドという用語は、一般にシグナリングによって予め定義される、サブバンドをまとめたセットに入るリソース・ブロックを一括りにしたセットを表わすことに留意されたい。３ＧＰＰ  ＬＴＥおよびＬＴＥ‐Ａの背景では、ワイドバンドは、全セル帯域幅、すなわち、最大２０ＭＨｚの周波数範囲をいつも意味する。
【００１２】
３ＧＰＰ  ＬＴＥのダウンリンクには、ＯＦＤＭが使用される。データは、単一のセルで最大２０ＭＨｚの周波数帯域幅を利用して送信可能である。３ＧＰＰ  ＬＴＥに対して現在計画されているエンハンスメント（ＬＥＴ‐Ａとも呼ばれ、Ａは「進化した」を表わす）でも、単一のセルで最大１００ＭＨｚの周波数帯域幅をサポートする、いわゆる「ＬＴＥキャリア集合体」をさらに使用してＯＦＤＭがダウンリンクに使用される。このような３ＧＰＰ  ＬＴＥキャリアの各々は、そこでコンポーネント・キャリア（ＣｏＣａ）と一般に呼ばれる。最大１００ＭＨｚの周波数帯域幅は、各々が２０ＭＨｚの帯域幅である５個の３ＧＰＰ  ＬＴＥキャリア（コンポーネント・キャリア）を並列に使用することによってたいがい実現される。
【００１３】
３ＧＰＰ  ＬＴＥにおいては、ユーザ装置からのいわゆる非周期的なチャネル品質フィードバックをトリガするために、簡単なメカニズムが想定される。無線アクセス・ネットワーク中のノードＢは、いわゆる非周期的ＣＱＩ報告の送信を要求するために、Ｌ１／Ｌ２制御シグナルをユーザ装置へ送信する（詳細については、3GPP TS 36.212の5.3.3.1.1節および3GPP TS 36.213の7.2.1節を参照）。ユーザ装置による非周期的チャネル品質フィードバックの提供をトリガする別の可能性は、ランダム・アクセス手順と連関している（3GPP TS 36.213の6.2節を参照）。さらに、周期的ＣＱＩ報告の起動または設定によってもトリガを実施することができる（3GPP TS 36.213の7.2.2節を参照）。
【００１４】
チャネル品質フィードバックの提供を促すトリガがユーザ装置で受信されると必ずそれに続いて、ユーザ装置はチャネル品質フィードバックをノードＢへ送信する。通常、チャネル品質フィードバック（すなわち、ＣＱＩ報告）は、スケジューラ（ノードＢ）によるＬ１／Ｌ２シグナリングによってユーザ装置に割り当てられた物理的アップリンク共有チャネル（ＰＵＳＣＨ）のリソース上でアップリンク（ユーザ）データに多重化される。
【００１５】
チャネル品質フィードバックはＰＵＳＣＨ上のデータに多重化されるため、ユーザ装置とノードＢは、サブフレーム内のＰＵＳＣＨ上のアップリンク送信のどの部分がチャネル品質フィードバックであり、どの部分がユーザ・データであるかについての一致した認識をもつように注意しなければならない。３ＧＰＰ  ＬＴＥにおいては、普通は、これは問題にならない―というのは、ノードＢは報告モードを設定し、非周期的ＣＱＩトリガを設定するので、ノードＢはＵＥがいつフィードバックを送信するかわかり、チャネル品質フィードバックのサイズも、さらには―仕様によって―各部分を再生できるようにサブフレーム内のフィードバックとデータ部の位置もわかっているからである。
【００１６】
ところが、複数のセルにまたがる動作をしている場合（例えば、ソフト・ハンドオーバ中）、ユーザ装置は、実際、複数のノードＢからＬ１／Ｌ２制御チャネルを受信することになり得る。一般に、これらのノードＢの各々は、他のノードＢがフィードバック要求をしていること知らずに、チャネル品質フィードバックを個々に求めるということが起こり得る。このことだけに起因して、ユーザ装置と一つ以上のノードＢの間でアップリンク送信の内容についての認識が異なってしまうことがあり得る。例えば、ユーザ装置がアップリンク上で同一データを二つのノードＢへ送っている場合に、これらのノードＢの一つが当該ユーザ装置からのチャネル品質報告を要求すると仮定すれば、もう一方のノードＢは、ユーザ装置がチャネル品質フィードバックとユーザ・データをサブフレーム内に多重化したことに気づかない可能性があり、そのサブフレームはユーザ・データを完全に含むものと誤って見なしてしまう。
【００１７】
さらに、不連続受信（ＤＲＸ）とトリガ失敗というイベントが状況をさらに複雑にする可能性がある（以下を参照）。
【００１８】
３ＧＰＰ  ＬＴＥ‐Ａにおいて想定された将来のエンハンスメントにおいても、チャネル品質フィードバックとデータ部の非効率な送信または誤った送信につながる、なぜサブフレームの内容の共通の認識が混乱され得るのかいうことには多くの問題がある。全般的な問題は、チャネル品質フィードバックが要求される／送信されるコンポーネント・キャリアの数が何個であるかの認識が分かれる可能性があることである。送信側と受信側が送信のＣＱＩ部とデータ部の間の境界の異なる認識をもち得る、こうした状況が図２に示される。これは、ひいては、完全なＣＱＩおよび／またはデータ送信の破損を引き起こしかねない。なぜなら、データ・ビットがＣＱＩビットであるかのように解釈されれば、その結果、ＣＱＩメッセージを破損してしまう。一方では、ＣＱＩビットがデータ・ビットと見なされ、その結果、データ送信を破損するという状況が起こり得る。少なくとも起こり得る影響は、ＣＱＩおよび／またはデータのＦＥＣ冗長性が失われることであり、それは当該ＦＥＣの誤り耐性を減少させることになる。
【００１９】
さらに、３ＧＰＰ  ＬＴＥにおいて送信の内容の認識が分かれることを引き起こし得る別の状況は、ユーザ装置が指定の数のサブフレームにわたり制御シグナルを受信していない場合にユーザ装置はＤＲＸモードに入ることができることに起因する。ノードＢが制御シグナルを送ったとしても、誤受信（例えば、チャネル状のノイズ等の結果として）のためにユーザ装置が制御シグナルに気がつかなければ、ノードＢはユーザ装置がまだアクティブ・モードであると見なしているのにユーザ装置はＤＲＸモードへ入ることがあり得る。
【００２０】
ＬＴＥキャリア集合体がおそらく使用されるであろう３ＧＰＰ  ＬＴＥ‐Ａでは、ユーザ装置はＬＴＥキャリア（コンポーネント・キャリア）当りのＤＲＸモードに入ることが可能である。言い換えれば、ＵＥは、その他のコンポーネント・キャリアに対してはアクティブでありながら、通信に利用できるいくつかのコンポーネント・キャリアに対してＤＲＸモードになることができる。この状況は、図３に例示的に示される。ユーザ装置は、ユーザ装置がＤＲＸモードであるコンポーネント・キャリアからは何のシグナルも受信せず、処理していないため、そのようなコンポーネント・キャリアに対してはＣＱＩは測定、報告され得ないものと考えられる。
【００２１】
ＣＱＩ報告に関する問題は、ユーザ装置がＤＲＸモードではないコンポーネント・キャリアに対してだけしかユーザ装置はチャネル品質要素を報告できないことである。したがって、各コンポーネント・キャリアについてのＤＲＸモードの認識がユーザ装置とノードＢとで異なるとすれば、ユーザ装置とノードＢはチャネル品質フィードバックの内容についての異なる認識をもつことになろう。これは、図４に例示的に強調表示される。
【００２２】
さらに、３ＧＰＰ  ＬＴＥ‐Ａでも、３ＧＰＰ  ＬＴＥにおけるのと同様の方式でＣＱＩ報告のトリガを行なえるものと想定することもできる。３ＧＰＰ  ＬＴＥ‐Ａでの厳密なトリガ・メカニズムはまだ明らかではないが、任意のコンポーネント・キャリアだけに対する非周期的ＣＱＩ報告は、同一コンポーネント・キャリア内のＬ１／Ｌ２制御チャネル中の非周期的ＣＱＩトリガ・ビットをアクティブにすれば要求することが可能である。これは、図５に示される。その結果、ノイズ等のせいで、ノードＢは３個のコンポーネント・キャリアに対するＣＱＩフィードバック・トリガを実際は送信したのに、ユーザ装置はそのうちの２個だけしか気づかないことが起こり得る。したがって、ユーザ装置は２個のコンポーネント・キャリアだけに対するＣＱＩ報告を送信するが、ノードＢはそのＣＱＩ報告が３個のコンポーネント・キャリアに対するチャネル品質フィードバックを含むものと見なす。このシナリオは、図６に例示的に示される。
【００２３】
コンポーネント・キャリアのチャネル品質の（詳細な）報告が送信効率の点から見て望ましくないような別の状況は、そのコンポーネント・キャリアのチャネル状態が非常に信号対ノイズ比を示す場合である。ユーザ装置にとってのチャネル状態が実際に非常に悪い場合には、チャネル品質フィードバックはユーザ装置へのデータのためのリソースと送信パラメータを決定するために使用されるように主として設計されるのだから、大きなフィードバック報告をノードＢへ送信することは必要とされないまたは妥当でないと言える。チャネル品質がそのコンポーネント・キャリア上でのデータの送信を許さない場合は、ノードＢはそのユーザ装置にはいずれのリソースもスケジュールせず（割り当てず）、代わりにそのチャネル状態が良くなるまで（ある時間）待つか、またはノードＢはチャネル品質が優良なその他の周波数範囲へまたはさらにはコンポーネント・キャリアへユーザ装置を割り当てる。したがって、ネットワークがそのようなコンポーネント・キャリア上のリソースを割り当てないように事実上させるだけの大きなフィードバック報告を送信することは、アップリンクのリソースの浪費である。特に、サブバンドＭＣＳＩまたはＰＭＩの送信は多数のビットを費やす。上記の表１に関して、示したサイズは２０ＭＨｚの帯域幅の単一のコンポーネント・キャリアに対して当てはまるものである。したがって５個の同コンポーネント・キャリアに対する詳細なＣＱＩの報告は、表１に示したビット数の５倍を費やす。いくつかのコンポーネント・キャリアが非常に低いＣＱＩをもつ場合には、明らかにこれは効率的ではない。
【発明の概要】
【発明が解決しようとする課題】
【００２４】
本発明の一つの目的は、上記に概説した問題の一つ以上を軽減する、少なくとも一つのコンポーネント・キャリアのチャネル品質を報告するための報告メカニズムを提案することである。
【課題を解決するための手段】
【００２５】
この目的は、独立請求項の主題によって解決される。本発明の有利な実施形態は、従属請求項の主題である。
【００２６】
本発明の一つの態様は、当該構成物中のチャネル品質情報のサイズ（ビット数として）の明確な判断を可能にする様式で、チャネル品質情報を伝達できるようにする送信のための構成物（以下ではメッセージと言う）を提案することである。これは、既知のビット数からなる第１のチャネル品質フィールドと可変のビット数からなる第２のチャネル品質フィールドを含んでなるメッセージ（サブフレーム・フォーマットまたはタイム・スロット・フォーマットと言うこともある）を定義することによって実現される。第２のチャネル品質フィールドのビット数と構成（ビットの内容の）は、第１のチャネル品質フィールドのビットの内容によって指示される。第２のチャネル品質フィールドの構成設定は、フィールド・サイズは可変であるが、それでも何らかの補助的情報、すなわち、当該送信構成に含まれた第１のチャネル品質フィールドの内容から特定できることを表現する「任意であるが既知である」とも言うことができる。
【００２７】
第１のチャネル品質フィールドのビット数は、例えば、移動端末（３ＧＰＰの用語ではユーザ装置と言う）と基地局（３ＧＰＰの用語ではノードＢと言う）との間の通信に利用可能なコンポーネント・キャリア数に応じて、システム固有に設定され得る。したがって、このビット数は既知の明確なものと見なされる。
【００２８】
さらに、本発明は、単一のコンポーネント・キャリアが通信に利用可能である３ＧＰＰ  ＬＴＥのようなシステムに概して適用可能であるが、複数のコンポーネント・キャリアが通信に提供される３ＧＰＰ  ＬＴＥ‐Ａのようなシステムにも同様に使用され得ることに留意すべきである。
【００２９】
本発明のより具体的な実施形態では、メッセージの第１のチャネル品質フィールドは、複数のコンポーネント・キャリアの各々についての第１の品質測度を指示する。さらに、第１のチャネル品質フィールドは、上記コンポーネント・キャリアの各々について、メッセージの第２のチャネル品質フィールドが各個別のコンポーネント・キャリアに関するさらなる第２のチャネル品質測度を含むか否かを示す。チャネル品質測度は、チャネル品質を示す単一の測定値であってもよく、または、例えば、ＭＣＳＩ、ＰＭＩまたはＲＩなどの１つ以上のチャネル品質インジケータ要素からなってもよい。複数の符号語またはトランスポート・ブロックに対するチャネル品質報告の場合には、各符号語に対する上記要素が実際に複数存在し得る。例えば、チャネル品質測度に含まれた、各符号語に対する１つ以上のＭＣＳＩがあり得る（ＬＴＥ報告モード３‐１の記述を参照）。
【００３０】
この実施形態の変形では、第１のチャネル品質フィールドは、第２のチャネル品質フィールドが各コンポーネント・キャリアに関係した制御情報を含むか否かをさらに示す。したがって、この変形では、チャネル品質は第１のチャネル品質フィールド中で報告され、一方、第２のチャネル品質フィールドは、例えば、スケジューリングに必要となり得る１つ以上のコンポーネント・キャリアに関係した制御情報をメッセージの受信側に提供できる。
【００３１】
本発明のさらに別の実施形態では、第１のチャネル品質フィールドのビット数は、基地局と通信端末間の通信に利用可能なコンポーネント・キャリア数に依存する。したがって、第１のチャネル品質測度には、例えば、予見されたコンポーネント・キャリア当り指定のビット数（１ビット以上）を与えることができる。
【００３２】
別の例示的な実施形態では、第１のチャネル品質フィールドはある数のサブフィールドからなる。これらのサブフィールドの各々は、各コンポーネント・キャリアに関連付けられている。つまり、第１のチャネル品質フィールドに存在するサブフィールドの数は、基地局と通信端末間の通信に利用可能なコンポーネント・キャリア数によって定められる。通信に利用可能なコンポーネント・キャリア数は、システムによって予め定義され得る、あるいは制御シグナリングによって設定され得る。
【００３３】
第１のチャネル品質フィールドの各々のサブフィールド（ビット数として）のサイズ（ビット数として）は、固定されてもよいし、または、例えば、各コンポーネント・キャリアに対して適用された、複数のチャネル品質報告モードのうちの一つの報告モードに依存するようにしてもよい。一般に、コンポーネント・キャリアの各々にそれぞれの報告モードを割り当てることができる、または代替的に、すべてのコンポーネント・キャリアが共通の報告モードをもつことができる。この共通の報告モードは、例えば、制御シグナリングによって設定可能である。
【００３４】
この実施形態のさらに例示的な変形では、第２のチャネル品質フィールドはある数のサブフィールドに分割される。第２のチャネル品質フィールドの各サブフィールドのサイズは、例えば、第２のチャネル品質フィールドの各サブフィールドに関連付けられたコンポーネント・キャリアに対して適用された、複数の報告モードのうちの一つの報告モードに依存するようにしてもよい。
【００３５】
一つの例では、チャネル品質フィールドのサブフィールドのサイズは１ビットであり、すなわち、メッセージの第１のチャネル品質フィールドは、コンポーネント・キャリアに対応したある数のフラグからなる。各フラグは、基地局と端末間の通信に利用可能な複数のコンポーネント・キャリアの各コンポーネント・キャリアに関連付けられている。第１のチャネル品質フィールドの各フラグは、各コンポーネント・キャリアについてのチャネル品質測度が第２のチャネル品質フィールド中に存在するか否かを示す。
【００３６】
別の例では、第１のチャネル品質フィールドは複数のチャネル品質測度を含む。これらのチャネル品質測度の各々は、基地局と端末間の通信に利用可能な複数のコンポーネント・キャリアの各コンポーネント・キャリアのチャネル品質測度を与える。さらに、第１のチャネル品質フィールドの各チャネル品質測度は、各コンポーネント・キャリアについての第２のチャネル品質測度が第２のチャネル品質フィールド中に存在するか否かを示す。
【００３７】
本発明のさらに別の実施形態では、第１のチャネル品質フィールドに含まれた各コンポーネント・キャリアのチャネル品質測度は、例えば、ワイドバンド変調および符号化方式インジケータ（ＷＢ  ＭＣＳＩ）および／またはワイドバンド・ランク・インジケータ（ＷＢ  ＲＩ）からなり得る。例えば、あるコンポーネント・キャリアについての上記ワイドバンド変調および符号化方式インジケータまたは上記ワイドバンド・ランク・インジケータが「範囲外」（または「未指定」）を示す場合には、そのコンポーネント・キャリアのチャネル品質測度は第２のチャネル品質フィールド中に含まれない。
【００３８】
本発明の別の態様は、チャネル品質情報を報告するメッセージをシグナリングするための手順にかかわる。本発明のさらに別の実施形態によれば、チャネル品質情報を送信するための方法は、無線インタフェース上のリソースを割り当てる制御シグナリングを受信することを含む。さらに、上記方法は、ここで述べた様々な実施形態の一つによるチャネル品質情報を伝達するためのメッセージを作成し、割り当てられたリソースを用いて送信することを想定する。
【００３９】
本発明のさらに別な実施形態では、複数のコンポーネント・キャリアが基地局と端末間の通信に利用可能であり、上記方法によれば、複数のチャネル品質報告モードのうちから報告モードをコンポーネント・キャリアの各々に対して設定する制御シグナリングが受信される。上述したとおり、報告モードはすべてのキャリアで同じであってもよいし、あるいは異なるコンポーネント・キャリアが異なる報告モードを使用してもよい。各コンポーネント・キャリアの報告モードは、チャネル品質情報を伝達するための上記メッセージを作成する際に考慮される。
【００４０】
例えば、メッセージの第１および／または第２のチャネル品質フィールド中の各コンポーネント・キャリアに対応するサブフィールド・サイズは、そのコンポーネント・キャリアに設定された報告モードに依存するようにできる。移動端末および基地局の両方が通信に利用可能なコンポーネント・キャリア数とそれらのコンポーネント・キャリアに対する報告モードを把握しているので、第１および第２のチャネル品質フィールドのサイズと構成は、メッセージを受信したエンティティによって明確に判断される。
【００４１】
本発明の別の実施形態では、上記方法は基地局と端末間の通信に利用可能な複数のコンポーネント・キャリアの少なくとも一部のサブセットのチャネル品質を測定することにより、それらのコンポーネント・キャリアについてのチャネル品質測度を得ることを含む。さらに、このチャネル品質測定結果に基づいて、チャネル品質が測定された各コンポーネント・キャリアについて、その各コンポーネント・キャリアについてのチャネル品質測度をメッセージの第２のチャネル品質フィールド中に含めるか否かが決定される。この決定は、メッセージ作成時にチャネル品質情報を伝達するための上記メッセージに追加される内容に明らかに影響する。
【００４２】
一つの例では、各コンポーネント・キャリアについてのチャネル品質の測定は、そのコンポーネント・キャリアの全帯域幅に対するワイドバンド測定を行なうことを含む。この例では、各コンポーネント・キャリアについてチャネル品質測度をメッセージの第２のチャネル品質フィールドに含めるか否かの決定は、ワイドバンド測定の結果に基づく。ワイドバンド測定がコンポーネント・キャリアのチャネル品質があるしきい値を下回ることを示す場合には、例えば、いずれの測定結果も報告しないように、あるいは基本的測定結果だけ（例えば、ワイドバンド測定自体だけ）を報告するように、測定実施エンティティによって決定される。
【００４３】
この実施形態の別の変形では、各コンポーネント・キャリアについてのチャネル品質の測定は、メッセージに含めることができる各コンポーネント・キャリアについてワイドバンド変調および符号化方式インジケータおよび／またはワイドバンド・ランク・インジケータを決定することを含む。
【００４４】
別の実施形態では、対応する制御シグナリングによって割り当てられた利用可能な全リソースは、チャネル品質情報のシグナリングのために使用される。無線インタフェース上のリソースを割り当てる上記制御シグナリングは、例えば、メッセージの符号化ビット総数Ｔを指示できる。次の式
【数１】
2012520643.tif 000004
ここで、ＣＱ１は第１のチャネル品質フィールドの符号化ビット数であり、ＣＱ２は第２のチャネル品質フィールドの符号化ビット数である、が満たされるように、第１および第２のチャネル品質フィールドのビットを符号化するための符号化率を適応させることができる。
【００４５】
別の実施形態では、メッセージ中に残っていて、チャネル品質情報のシグナリングに利用されなかった余剰の（符号化した）ビットが、追加の制御シグナリングおよび／またはユーザ・データを伝達するために使用され得る。したがって、この例示的な実施形態では、次の式
【数２】
2012520643.tif 000005
ここで、Ｒは符号化した制御情報ビット数および／または符号化したユーザ・データ・ビット数であり、ＣＱ１は第１のチャネル品質フィールドの符号化ビット数であり、ＣＱ２は第２のチャネル品質フィールドの符号化ビット数である、が満たされるように、符号化した制御情報ビットおよび／または符号化したユーザ・データ・ビットをメッセージに追加される。
【００４６】
本発明のさらに別の実施形態では、無線インタフェース上のリソースを割り当てる上記制御シグナリングは、変調方式をさらに示し、メッセージの符号化したビットはこの変調方式に従って変調される。
【００４７】
本発明の一つの例示的な実施形態では、通信端末が上記に概説した方法を実行する。通信端末は、移動通信システム中の移動端末または中継機であり得る。この例示的な実施形態では、通信端末は、基地局との通信に利用可能な複数のコンポーネント・キャリアの一つに対して不連続受信モードになる。通信端末は、メッセージの第１のチャネル品質フィールド中で、端末が不連続受信モードであるコンポーネント・キャリアについてのさらなるチャネル品質情報はメッセージの第２のチャネル品質フィールド中で送信されないことを指示する。
【００４８】
本発明の別の態様は、移動通信システムのネットワーク・エンティティにおけるここで概説した概念の実現と使用である。本発明の別の実施形態は、したがって、通信システムの無線インタフェースを介してメッセージを基地局へ送信するための通信端末を提供する。上記通信端末は、無線インタフェース上のリソースを割り当てる制御シグナリングを受信するための受信器と、ここで述べた様々な実施形態の一つによるチャネル品質情報を伝達するためのメッセージを作成するための処理ユニットとを備える。作成したメッセージの送信のために、上記通信端末は割り当てられたリソースを用いてメッセージを基地局へ送信する送信器を備える。
【００４９】
一つの例では、上記通信端末は移動端末（３ＧＰＰの用語ではユーザ装置）である。代替の例では、上記通信端末は、基地局に無線インタフェースを介して接続され、この基地局からのデータを別の無線インタフェースを介して移動端末へ中継する、移動通信システム内の中継機である。
【００５０】
本発明の別の実施形態による上記通信端末は、ここで述べた様々な実施形態の一つによるチャネル品質情報を送信するための方法の各ステップを実行するためのすべての必要な手段を備えている。
【００５１】
通信端末に関係した上記の例示的な実施形態では、アップリンクでのチャネル品質フィードバックが考慮された（すなわち、チャネル品質情報は基地局へ送信される）が、本発明の別の実施形態は、基地局（または中継機）によるダウンリンク上のチャネル品質情報のシグナリングに関係する。したがって、この実施形態は、通信システムの無線インタフェースを介して、チャネル品質フィードバック情報を伝達するメッセージを通信端末へ送信するための基地局（または中継機）を提供する。上記基地局（または中継機）は、無線インタフェース上のリソースを割り当てる制御シグナリングを送信するための送信器と、ここで述べた様々な例示的な実施形態の一つによるチャネル品質フィードバック情報を伝達するメッセージを作成するための処理ユニットを備える。さらに、上記基地局（または中継機）は、割り当てたリソースを用いてメッセージを通信端末へ送信するための送信器を備える。本発明の概念はいずれかのＣＱＩ送信エンティティからＣＱＩ受信エンティティへのＣＱＩ送信のためのメッセージと方法に一般化され得ることを当業者は理解する。
【００５２】
本発明のさらに別の実施形態による上記基地局は、ここで述べた様々な実施形態の一つによるチャネル品質情報を送信するための方法の各ステップを実行するように適合された手段を備える。
【００５３】
本発明の別の態様は、ソフトウェアおよびコンピュータにより読取り可能な媒体の本発明の実現と使用である。このさらなる態様によれば、本発明の別の実施形態は、通信端末（移動端末または中継機など）のプロセッサによる実行時に、通信システムの無線インタフェースを介してメッセージを基地局へ送信するようにその通信端末を動作させ、無線インタフェース上のリソースを割り当てる制御シグナリングを受信し、ここで述べた様々な例示的な実施形態の一つによるチャネル品質フィードバック情報を伝達するメッセージを作成し、割り当てられたリソースを用いてメッセージを基地局へ送信することによって、上記通信端末に通信を行なわせる命令を記憶する媒体に関係する。
【００５４】
本発明の別の実施形態によれば、基地局のプロセッサによる実行時に、通信システムの無線インタフェースを介してメッセージを通信端末へ送信するようにその基地局（または中継機）を動作させ、無線インタフェース上のリソースを割り当てる制御シグナリングを送信し、ここで述べた様々な例示的な実施形態の一つによるチャネル品質フィードバック情報を伝達するメッセージを作成し、割り当てたリソースを用いてメッセージを通信端末へ送信することによって、上記基地局（または中継機）に通信を行なわせる命令を記憶しているコンピュータにより読取り可能な媒体が提供される。
【００５５】
上記コンピュータにより読取り可能な媒体は、基地局のプロセッサによる実行時に、ここに述べた様々な実施形態の一つによるチャネル品質情報を送信するための方法の各ステップを実行するように、上記基地局を動作させる命令を記憶できる。
【図面の簡単な説明】
【００５６】
【図１】３ＧＰＰ  ＬＴＥによるＯＦＤＭチャネル構成の１つのスロットの典型的なリソース・グリッドを示す図である。
【図２】アップリンク送信のＣＱＩ部とデータ部との間の可変な境界を示す図である。
【図３】コンポーネント・キャリアごとのＤＲＸモードとＣＱＩ報告内容へのその影響を示す図である。
【図４】基地局と移動端末とがそれぞれもつ、ＤＲＸモードのコンポーネント・キャリアの認識を、それから生じる潜在的なＣＱＩフィードバックの問題を例示するために示す図である。
【図５】コンポーネント・キャリアごとのＣＱＩフィードバック・トリガとそれに対応するＣＱＩ報告内容を示す図である。
【図６】コンポーネント・キャリアごとのＣＱＩフィードバック・トリガ―それらのトリガのうちの一つを移動端末が受信していない場合―とそれに対応するＣＱＩ報告内容を示す図である。
【図７】本発明のそれぞれ異なる実施形態による、チャネル品質フィードバック（例えば、ＣＱＩ報告）を報告するための例示的なメッセージを示す図である。
【図８】本発明のそれぞれ異なる実施形態による、チャネル品質フィードバック（例えば、ＣＱＩ報告）を報告するための例示的なメッセージを示す図である。
【図９】本発明のそれぞれ異なる実施形態による、チャネル品質フィードバックを報告するメッセージの構成と内容を示す図である。
【図１０】本発明のそれぞれ異なる実施形態による、チャネル品質フィードバックを報告するメッセージの構成と内容を示す図である。
【図１１】本発明のそれぞれ異なる実施形態による、チャネル品質フィードバックを報告するメッセージの構成と内容を示す図である。
【図１２】本発明のそれぞれ異なる実施形態による、チャネル品質フィードバックを報告するメッセージの構成と内容を示す図である。
【図１３】本発明の実施形態によりノードＢがＵＥからのＣＱＩ報告をトリガする、３ＧＰＰ  ＬＴＥまたはＬＴＥ‐Ａシステム内のノードＢとＵＥ間の例示的な通信を示す図である。
【発明を実施するための形態】
【００５７】
以下に、添付の図および図面を参照して、本発明をさらに詳細に説明する。図中の類似のまたは同等の細部は、同一の参照番号を付けてある。
【００５８】
以下の文面は、本発明の様々な実施形態を説明する。例示的な目的でのみ、実施形態の多くは、前述の背景技術の節で説明したＬＴＥおよび現在開発されているそのエンハンスメントによる（発展型の）通信システムに関連して概説される。
【００５９】
前述の発明の開示の節ですでに述べたように、本発明の一つの態様は、チャネル品質を伝達するメッセージのチャネル品質情報のサイズの明確な判断を可能にする様式で、チャネル品質情報を伝達できるようにする送信のための構成物（以下ではメッセージと言う）を提案することである。これは、チャネル品質情報を伝達するのにふさわしいメッセージ―実現等によるが―を定義することによって達成される。メッセージは、第１のチャネル品質フィールドと第２のチャネル品質フィールドとを含む。第１のチャネル品質フィールドは、第２のチャネル品質フィールドの内容（および編成）を示すために使用される。
【００６０】
第１のチャネル品質フィールドのサイズ（ビット数として）は、メッセージの受信側がその内容物を常に確実にわかるように既知である。第２のチャネル品質フィールドは、可変のビット数からなる。第２のチャネル品質フィールドのビット数と内容は、第１のチャネル品質フィールドのビットの内容によって示される。第２のチャネル品質フィールドのこの構成設定は、フィールド・サイズは可変であり、当該フィールドに含まれるべき情報に依存するが、フィールド・サイズは何らかの補助的情報、すなわち、第１のチャネル品質フィールドの内容から明確に判断できることを表現する「任意であるが固定的である」とも言うことができる。
【００６１】
第１のチャネル品質フィールドのビット数は既知である。これは、例えば、システム定義によって設定される以外は変更されないという点で第１のチャネル品質フィールドのビット数は固定的であることを、例えば、意味し得る。より柔軟な実現では、メッセージ中の第１のチャネル品質フィールドのビット数は、その送信側と受信側には知られているが、半固定的である。これは、第１のチャネル品質フィールドのサイズは、例えば、制御シグナリングによって変更され得ることを意味する。一つの例では、第１のチャネル品質フィールドのサイズは、移動端末（３ＧＰＰの用語ではユーザ装置と言う）と基地局（３ＧＰＰの用語ではノードＢと言う）との間の通信に利用可能であるコンポーネント・キャリア数に依存している。別の例では、第１のチャネル品質フィールドのサイズは、以下でさらに詳細に説明するが、チャネル品質情報の報告モードに（さらに）依存している。両方の例において、第１のチャネル品質フィールドの厳密なビット数は既知であり、明確である。
【００６２】
コンポーネント・キャリアは、３ＧＰＰ  ＬＴＥシステムのＬＴＥキャリアに相当するものと理解してよい。ＬＴＥ‐Ａに向けた研究によれば、第１層の仕様は、連続コンポーネント・キャリアと不連続コンポーネント・キャリアの両方でのキャリア集合体をサポートするものとし、各コンポーネント・キャリアは３ＧＰＰリリース８（すなわち、３ＧＰＰ  ＬＴＥ）の数秘術を使用して最大１１０個のリソース・ブロックに制限される。したがって、コンポーネント・キャリア当りの最大帯域幅は２２ＭＨｚ未満になると結論づけることができる。以下の説明の目的のため、コンポーネント・キャリアは、最大１１０個のリソース・ブロックの集合体をさすことにする。さらに、チャネル品質報告モードは原則的にコンポーネント・キャリア当り設定されるものとするが、通信に利用可能なすべてのコンポーネント・キャリアについて同一の報告モードを設定することもできると仮定される。
【００６３】
以下に述べる本発明の例示的な実施形態では、通信に利用可能な複数の（例えば、５個の）コンポーネント・キャリアがあると例示的な目的で仮定する３ＧＰＰ  ＬＴＥ‐Ａシステム、または３ＧＰＰ  ＬＴＥシステムを例にとり言及する。さらに、例示的な目的でのみ、チャネル品質情報を伝達する各アップリンクのメッセージによって、ダウンリンクについてのチャネル品質を報告する（いわゆるＣＱＩ報告）のシナリオが説明される。
【００６４】
上記に概説したように、本発明の一つの態様によれば、ユーザ装置は、複数の（または１つの）コンポーネント・キャリアのチャネル品質情報が当該チャネル品質フィードバックにおいて報告されるという指示と報告されないという指示をノードＢに与える。基本的に、これは報告を二つの異なる部分（本文書では「フィールド」とも表記される）に分割することによって実現される。
【００６５】
図７は、（コンポーネント・キャリア当りの指示―と、選択的に、基本的なチャネル品質情報―を伝える）第１のチャネル品質フィールド７０１と（コンポーネント・キャリア当りの詳細なチャネル品質情報を伝える）第２のチャネル品質フィールド７０２へのアップリンク送信（メッセージ）の例示的な概念的な分割を示す。図８に示す本発明の別の例示的な実施形態では、アップリンク送信（メッセージ）は、データおよび／または制御情報を伝達するための追加のフィールド７０３をさらに含んでなる。
【００６６】
図７および図８は、非周期的なチャネル品質情報をシグナリングするためのアップリンク・メッセージが、論理的に二つ、個々には三つの別個の部分に分割可能であることを示す。
‐  第１のチャネル品質フィールド７０１
‐  第２のチャネル品質フィールド７０２
‐  データおよび／または制御情報フィールド７０３（選択的）
【００６７】
本発明の一つの実施形態によれば、アップリンク・メッセージの全体サイズは、アップリンクのリソース割当てによって定められる。リソースを割り当てることによってメッセージのサイズを定めるためのこうしたシグナリング・メッセージは、例えば、Ｌ１／Ｌ２制御チャネルを通じてユーザ装置によって受信され得る。このＬ１／Ｌ２制御チャネルは、３ＧＰＰの用語では物理的ダウンリンク制御チャネル（ＰＤＣＣＨ）としても知られる。
【００６８】
第１のチャネル品質情報フィールドは、固定のサイズをもつ―とはいえ、このサイズは、例えば、ノードＢとユーザ装置間のダウンリンク・トラヒックが原則的に通信できるコンポーネント・キャリアはどれであり、何個であるかについてのより上位層の設定（制御シグナリングによる）に依存して変わり得る。したがって、第１のチャネル品質情報フィールドのサイズと内容は、フィードバック・メッセージの受信後直ちにそれが検出、複号可能なように、フィードバックの受信側（ダウンリンクのデータ送信とアップリンクでのチャネル品質フィードバックというシナリオを考えるならば、通常、これはノードＢである）に既知であるものとする。第１のチャネル品質フィールドは、あるコンポーネント・キャリアについての何らかのチャネル品質情報が第２のチャネル品質フィールドに含まれているか、いないかの基本的指示を含む。したがって、第１のチャネル品質フィールド中のあるコンポーネント・キャリアに対するインジケータは、そのコンポーネント・キャリアについてのチャネル品質情報が第２のチャネル品質フィールド中に含まれている場合にだけセットされるものとする。
【００６９】
あるコンポーネント・キャリアについてのチャネル品質情報が第２のチャネル品質フィールド中に含まれている場合、そのチャネル品質情報は、そのコンポーネント・キャリアに対して設定されたチャネル品質情報の報告モードに依存する。この設定されたチャネル品質情報の報告モードは、チャネル品質情報報告が送信される前のより上位層の制御シグナリングおよび設定によって、送信の両端側に知られているものと仮定できる。原則的には、報告モードは各コンポーネント・キャリアごとに個別に設定され得るが、すべてのコンポーネント・キャリアに当てはまる単一の報告モードにすることもできる。ただし、この場合にも、チャネル品質報告は、各コンポーネント・キャリアごとに個別に行われる。代替として、報告モードが非周期的なチャネル品質情報の要求の一部に含まれ得る。
【００７０】
以下では、本発明のそれぞれ異なる実施形態による、チャネル品質情報を伝達するためのメッセージの四つの異なる例示的な設計がさらに詳細に説明される。下の表２は、図９〜図１２に関して以下に説明するこれらの実施形態の概要を示す。
【表２】
2012520643.tif 000006
【００７１】
本発明の一つの実施形態による一つの例示的な実現では、第１の部分が指示を伝え、第２の部分がチャネル品質フィードバック情報を伝える。この例では、指示は、コンポーネント・キャリア当り１ビットの情報（フラグ）ほどに簡略にすることができ、その値により、指定のコンポーネント・キャリアについてのチャネル品質情報がチャネル品質報告の第２の部分に存在するか否かを示している。
【００７２】
本発明のある実施形態による、チャネル品質情報を伝達するためのメッセージ・フォーマットの例示的な実現が図９に示される。このメッセージは、第１のチャネル品質フィールド９０１と第２のチャネル品質フィールド９０２からなる。第１のチャネル品質フィールド９０１は、ダウンリンクでのデータの通信に利用可能な各コンポーネント・キャリア当り１つのフラグからなる。したがって、メッセージの受信側（この例ではノードＢ）は、第１のチャネル品質フィールドのビット数を知っている。利用可能な５個のコンポーネント・キャリアがあるとすれば、第１のチャネル品質フィールドは、５個のフラグ９０１‐１、９０１‐２、 ９０１‐３、９０１‐４、９０１‐５のそれぞれのビットを有する。各フラグは、各コンポーネント・キャリアについてのチャネル品質情報が第２のチャネル品質フィールド中に与えられているか否かを示す。図１に示した例では、フラグ９０１‐１、フラグ９０１‐３、およびフラグ９０１‐５が、第２のチャネル品質フィールド９０２中に各々のチャネル品質測度（サブフィールドとして示される）９０２‐１、９０２‐３、および９０２‐５があることを指示する。
【００７３】
一般に、あるコンポーネント・キャリアについてのチャネル品質情報は、チャネル品質測度（９０２‐１、９０２‐３、９０２‐５）として報告されるものと仮定できる。これらの測度の各々は、１つ以上のチャネル品質の測定結果または指示値を報告できる。例えば、第２のチャネル品質フィールド中で各コンポーネント・キャリアに関連付けられた各サブフィールドは（その指定のコンポーネント・キャリアについてチャネル品質情報が報告されるとすれば）、例えば、本文書中で前述したチャネル品質要素である、（ワイドバンド／サブバンド）ＭＣＳＩ、ＰＭＩ、ＲＩなどのチャネル品質の１つ以上の測定結果または指示値を伝達できる。
【００７４】
図９の例では、報告モードは、各コンポーネント・キャリアについて上記の表１に示された報告モード３−１に設定されているという前提を仮定できる。だから、チャネル品質情報がメッセージ中で報告される各コンポーネント・キャリアについて、チャネル品質測度を伝える各サブフィールド９０２‐１、９０２‐３、９０２‐５はそれぞれ、ＷＢ  ＭＣＳＩ９０２‐１１、ＷＢ  ＰＭＩ９０２‐１２、 ＷＢ  ＲＩ９０２‐１３およびコンポーネント・キャリアの各サブバンドごとのサブバンドＭＣＳＩ（ｓ）９０２‐１４という要素を報告している。
【００７５】
本発明の別の代替的な実施形態では、あるコンポーネント・キャリアについてのチャネル品質情報が第２のチャネル品質フィールド中に後続するか否かは、第１のチャネル品質フィールドに含まれた各コンポーネント・キャリアについてのチャネル品質測度に暗黙に結び付いている。
【００７６】
本発明のこの例示的な実施形態では選択的に、ユーザ装置は、コンポーネント・キャリアにおけるチャネル品質がそのコンポーネント・キャリアについての詳細なチャネル品質フィードバックを送信することが妥当なほどには十分によくない（例えば、あるしきい値を下回る）と決定できる。その場合、そのコンポーネント・キャリアについてのさらなるチャネル品質情報がメッセージの第２のチャネル品質フィールド中に含まれないことを示す対応する指示が、第１のチャネル品質フィールド中で与えられる。例えば、ユーザ装置があるコンポーネント・キャリアについてのチャネル品質の詳細な情報を含められない、または、含めないという状況は、ユーザ装置がコンポーネント・キャリアに対してＤＲＸモードである場合、またはそのコンポーネント・キャリアのチャネル品質測定がさらに詳細に報告するに値しないチャネル品質を示す場合があり得るが、低いチャネル品質の点から見てそのコンポーネント・キャリア上ではリソースがユーザ装置に割り当てられる見込みがないからである。
【００７７】
第２のチャネル品質フィールドの内容の指示が第１のチャネル品質フィールドの内容に暗黙に結び付いている、本発明の一つの例示的な実施形態が図１０に示される。この例では、第１のチャネル品質フィールド１００１は、利用可能なコンポーネント・キャリアのそれぞれに対応して、各コンポーネント・キャリアのワイドバンドＭＣＳＩ（ＷＢ  ＭＣＳＩ）要素という一つの要素のチャネル品質測度からなる第１のチャネル品質サブフィールド１００１‐１、１００１‐２、１００１‐３、１００１‐４、１００１‐５を含む。３ＧＰＰ  ＬＴＥまたは３ＧＰＰ  ＬＴＥ‐Ａベースの通信ネットワーク内でのインジケータとしてのワイドバンドＭＣＳＩ要素の使用は、それがすべての報告モード中に存在するため有利である。表３からさらに認識できるように、３ＧＰＰ  ＬＴＥにおけるワイドバンドＭＣＳＩは、１６個の値のうちの一つを表わすことができる。
【００７８】
このＷＢ  ＭＣＳＩがあるコンポーネント・キャリアについてのさらなるチャネル品質情報がメッセージの第２のチャネル品質フィールド１００２中にないことを示すようにする場合、上記の値の１つ以上（１つのＭＣＳＩインデックス）がその目的のために使用され得る。第２のチャネル品質フィールド１００２中にさらなるチャネル品質測度を存在させないものとする、いずれかのＭＣＳＩインデックスは、例えば、大きなスペクトル効率を示していないＭＣＳＩインデックスであり得る。例えば、２．０未満のスペクトル効率を示すＷＢ ＭＣＳＩとして報告されたいずれかのＭＣＳＩインデックスが、このような指示のために選択され得る。
【表３】
2012520643.tif 000007
【００７９】
代替的に、ＱＰＳＫなどの低次の変調を示すＭＣＳＩインデックス、すなわち、表３の例ではインデックス値６以下のＭＣＳＩインデックスが、メッセージの第２のチャネル品質フィールド１００２中で追加のチャネル品質情報が与えられないことを示すために使用され得る。
【００８０】
本発明の一つのさらに別の例示的な実施形態によれば、「範囲外」を示すＭＣＳＩインデックス（例えば、表３中のＭＣＳＩインデックス０）が、チャネル品質フィールド１００２中でチャネル品質情報が与えられないことを示すためのインジケータとして使用される。表３の例に示すように、ＭＣＳＩインデックス０は、コンポーネント・キャリアのチャネル品質が、低い変調と低い符号率を使用してさえも送信が１０％以下の確率で正しく受信不可能であるほど劣ることを示す。通常では、スケジューラがそのカバレッジ・エリア内でユーザ装置に送信リソースをスケジュールし、割り当てているときに、スケジューラがこのようなチャネル品質フィードバックを提供されたとすれば、そのようなバンド（例えば、コンポーネント・キャリアまたはサブバンド）に対してはスケジューラはそのユーザ装置を放棄するであろう。
【００８１】
コンポーネント・キャリア各々に対応するそれぞれ１個のビットである、フラグ９０１‐１、９０１‐２、９０１‐３、９０１‐４、９０１‐５の代わりに、第１のチャネル品質フィールド１００１がチャネル品質測度（この例では、指定のコンポーネント・キャリアのＷＢ ＭＣＳＩ）を伝達する個々のサブフィールド１００１‐１、１００１‐２、１００１‐３、１００１‐４、１００１‐５を含んでなる点を除いては、図１０に示した例示的なメッセージ構成は図９に示したメッセージ構成と同様である。サブフィールド１００１-１、１００１-２、１００１-３、１００１-４、１００１-５がチャネル品質測度としてＷＢ  ＭＣＳＩ要素をすでに伝達するので、この要素は、第２のチャネル品質フィールド中にコンポーネント・キャリアについての追加のチャネル品質情報を与えるサブフィールド１００２-１、１００２-３、１００２-４内に含まれる必要はない。
【００８２】
図１０に示した例では、メッセージの第１のチャネル品質フィールド１００１は、各コンポーネント・キャリアに対応する各チャネル品質測度を伝達する５個のサブフィールド１００１‐１、１００１-２、１００１‐３、１００１‐４、１００１‐５を含んでなることが例示的な目的で仮定される。この例では、このチャネル品質測度は、指定のコンポーネント・キャリアについてのＷＢ  ＭＣＳＩ要素からなる。ＷＢ  ＭＣＳＩ要素は、表３に示したように１６個の異なるＷＢ  ＭＣＳＩインデックスを指定することを可能にする４ビットからなる。この例では、ＷＢ  ＭＣＳインデックス０が、「範囲外」すなわち、各コンポーネント・キャリアについて測定されたチャネル品質が所定のしきい値未満である（例えば、スペクトル効率、ＳＮＲ、ＳＩＮＲ等がしきい値よりも低い）こと、およびこのコンポーネント・キャリアについてのさらに詳細な測定結果を報告するために第２のチャネル品質フィールド１００２中にそのコンポーネント・キャリア用のサブフィールドが存在しないことを示すと仮定できる。図１０では、詳細なチャネル品質情報は、コンポーネント・キャリア#１、#３、および #４についてだけ報告される。したがって、第１のチャネル品質フィールド１００１の対応するサブフィールド１００１‐２と１００１‐５内のコンポーネント・キャリア#２と#５に対するＷＢ  ＭＣＳＩは「範囲外」、すなわち、値０を示し、一方、第１のチャネル品質フィールド１００１のその他のサブフィールド１００１‐１、１００１‐３および１００１‐４は、チャネル品質として１から１５までの間の値を示す。
【００８３】
第２のチャネル品質フィールド１００２中には、コンポーネント・キャリア#１、#３、および#４についてのチャネル品質情報が与えられる。対応する各サブフィールド１００２‐１、１００２‐３および１００２−４は、コンポーネント・キャリア#１、#３、#４に対して設定された報告モード（この例では、モード３‐１）に従った残りのまたは追加の要素を含む、それぞれのチャネル品質測度を含んでなる。
【００８４】
ＷＢ  ＭＣＳＩは、通常、コンポーネント・キャリアの全帯域幅を対象とした測定値であり、これは、コンポーネント・キャリアの全帯域幅を使用する送信、または少なくとも複数のサブバンドから構成される送信に使用され得る変調および符号化方式の指示を提供する。コンポーネント・キャリアの全帯域幅が単一のユーザ装置に割り当てられることは通常ないので、コンポーネント・キャリアのＷＢ  ＭＣＳＩが送信にそのまま適用可能にはならないが、コンポーネント・キャリア内のいくつかのサブバンドがＷＢ  ＭＣＳＩによって示されたものよりも高い送信用のＭＣＳＩをサポートすることが十分起こり得る。3GPP TS 36.213の7.2.1節と表7.2.1-2および表7.2.1-4によると、サブバンドに対するＭＣＳＩインデックスは、サブバンドに対するＭＣＳＩ値と、コンポーネント・キャリアのワイドバンド測定値としてシグナリングされたＭＣＳＩインデックスとの差だけを示すようにしている。さらに、3GPP TS 36.213の中の表7.2.1-2と表7.2.1-4によると、この差は、報告モードに応じて、最大＋２のＭＣＳＩレベルと最大＋４のＭＣＳＩレベルにそれぞれ制限される。つまり、ワイドバンドＭＣＳＩが「０」を報告しているとき、サブバンドに対して報告可能な最大値は、サブバンドＭＣＳＩレベル４に等しい。このサブバンドＭＣＳＩレベルでも大きなビットレートの送信を許さないのだから、コンポーネント・キャリアについてのさらに詳細なチャネル品質報告を提供するか否かが、ワイドバンド測定値に基づいて決定される本発明の例示的な実施形態のとおり、このような値を報告できないことによる性能損失はシステムにとっては無視できるものとなる。
【００８５】
本発明の代替的な例示的な実施形態として、第１のチャネル品質フィールド中のインジケータがＲＩフィードバック要素中に組み込まれる。ＲＩは通常小さいので、「未指定」または「範囲外」のランクを表わすコンポーネント・キャリアに対するＲＩ値は、そのコンポーネント・キャリアについてのさらなるチャネル品質情報要素が第２のチャネル品質フィールド中に含まれていないことのインジケータとして見なすことができる。本発明のこの例示的な実施形態による、チャネル品質情報を報告するためのメッセージの構成例が図１１に示される。上記の図１０に関して説明した本発明の実施形態と比較して、少なくとも、３ＧＰＰ  ＬＴＥベースの報告モードが再び使用されるとき、ＲＩ要素はチャネル品質フィードバック中に常に存在するものではないことが認識され得る（表１を参照）。したがって、このソリューションは、ＲＩ要素が存在する報告モードを使用するときには有利に使用され得る。代替的に、ＲＩ要素をその他の報告モードに追加することもできる。このような「未指定のＲＩ」の実現は、例えば、「未指定」を表わす新しい値を導入することによって実現可能であり、または受信側がＲＩ情報を期待する位置に実際には送信信号がないように実現することも可能である。その場合、受信側は、例えば、電力検出によって、十分な信号電力が受信される場合の指定されたＲＩ値（例えば、１から８までの間の）と十分な信号電力が受信されない場合の未指定のＲＩ値を見分けることができよう。
【００８６】
図１１の例示的なメッセージは、図１０に示した例示的なメッセージと基本的に同様である。これらのメッセージの唯一の相違点は、図１１のメッセージの第１のチャネル品質フィールド１１０１は、図１０におけるＷＢ  ＭＣＳＩ要素の代わりに、各コンポーネント・キャリアに対応するＷＢ  ＲＩ要素を含むことである。したがって、第２のチャネル品質フィールド１１０２の各サブフィールド１１０２‐１、１１０２‐３および１１０２‐４の内容も、ＷＢ  ＲＩ要素１００２‐１１ではなく、ＷＢ  ＭＣＳＩ要素１１０２‐１１を含んでなるようにこれに応じて適合されている。ここでも、図１１の例もまた、例示的な目的で表１に示した報告モード３‐１を前提としている。
【００８７】
本発明の別の実施形態では、ＷＢ  ＭＣＳＩとＷＢ  ＲＩのフィードバックが、第１のチャネル品質フィールド中にインジケータとして組み合わされる。これは、図１２に例示的に示され、ここでは第１のチャネル品質フィールド１２０１中の各サブフィールド１２０１‐１〜１２０１‐５中のチャネル品質測度が、２つのチャネル品質測度、すなわち、ＷＢ  ＭＣＳＩ要素とＷＢ  ＲＩ要素からなる。
【００８８】
一般に、高い送信ランクはチャネル状態が最悪ではないことを暗示するので、１よりも大きいＲＩが報告されるときは、ＭＣＳＩ値が十分に指定されるものと、すなわち、「範囲外」ではないものと仮定できる。したがって、ＷＢ  ＲＩ＞１と、例えば、「範囲外」を示すＷＢ  ＭＣＳＩ値が一緒になった送信は、通信システム中でフィードバックを送信する際の通常の状況では発生しない。ＭＣＳＩ値が十分に指定される（例えば、非ゼロのスペクトル効率を示す）場合には、むしろより小さいＲＩが選択されるものとする。
【００８９】
図１２に示した例示的なメッセージでは、ＷＢ  ＲＩ＞１と「範囲外」を示すＷＢ  ＭＣＳＩの組み合わせが、コンポーネント・キャリアに対応する指示として、指定のコンポーネント・キャリアについては第２のチャネル品質フィールド１２０２に含まれた追加のチャネル品質情報がないことを示すために使用される。１よりも大きいランクを示すＲＩを使用する代わりに、例えば、最大のまたは２番目に大きい可能な送信ランクを示す単一のＲＩ値だけを指示要素として使用することが好ましいこともある。指示の一部としてＷＢ  ＲＩ＞１を使用することの代替として、「未指定」のランクを示すＷＢ  ＲＩと「範囲外」を示すＷＢ  ＭＣＳＩの組み合わせが、第２のチャネル品質フィールド１２０２に含まれた追加のチャネル品質情報がないことの指示伝達物として使用可能である。
【００９０】
図１０および図１１に示したメッセージと同様に、図１２に関して示した例でも、第２のチャネル品質フィールド１２０２内には、コンポーネント・キャリア#１、#３および#４に対応したサブフィールド１２０２‐１、１２０２‐３、１２０２‐４があると仮定される。したがって、第１のチャネル品質フィールド１２０１内のサブフィールド１２０１‐１、１２０１‐３、１２０１‐４の中のチャネル品質測度は、第２のチャネル品質フィールド１２０２内でコンポーネント・キャリア#１、#３および#４にそれぞれ対応するサブフィールド１２０２‐１、１２０２‐３、１２０２‐４の存在を示すＷＢ  ＲＩ要素とＷＢ  ＭＣＳＩ要素の組み合わせを示す。ここでも表１に示した報告モード３‐１を前提とし、ＷＢ  ＲＩ要素とＷＢ  ＭＣＳＩ要素は第１のチャネル品質フィールド１２０１にすでに含まれているので、第２のチャネル品質フィールド１２０２内のサブフィールド１２０２‐１、１２０２‐３、１２０２‐４中のチャネル品質測度は、ＷＢ  ＰＭＩ要素とサブバンドＭＣＳＩ要素を示すだけでよい。
【００９１】
図９〜図１２は、すべてのフィールド、サブフィールドおよび要素の論理的な並びを示すことに留意されたい。フィールド、サブフィールドおよび要素の並びは、例えば、所定の手順または設定された命令に従うことによってフィードバック送信の両端側にその並びが知られている限り、概念に影響しないことに留意すべきである。
【００９２】
上記に説明した本発明の例示的な実施形態の多くは、チャネル品質情報だけを伝達するためのメッセージの内容と構成の定義に関するものであった。対応するトリガ、例えば、Ｌ１／Ｌ２制御チャネルを介したネットワーク側からの制御メッセージに応答してこのメッセージが送信されるものと仮定すると、上記トリガを含んでなる制御シグナリングは、上記メッセージを送信するための物理的なチャネル・リソースを割り当てることもできる。一般に、上記メッセージの送信機は、メッセージを送信するためのある量のチャネル・リソースを割り当てられるものと仮定できる。
【００９３】
３ＧＰＰ  ＬＴＥおよびＬＴＥ‐Ａにおいては、物理的リソースは、通常、ある数のリソース・ブロックによって指定される。したがって、ユーザ装置からの非周期的なチャネル品質報告をトリガするとき、ノードＢは、通常、物理的チャネルのサブフレーム中でユーザ装置が利用を許されるある数のリソース・ブロックをユーザ装置に割り当てる。このリソース・ブロックの数は、チャネル品質フィードバックの送信のためにサブフレーム内でユーザ装置が使用できる所与の変調シンボル数に等しい。所与の変調シンボル数内で送信可能な（未符号化）ビット数は、メッセージのビットを符号化し、符号化したビットをその後に変調するために使用される変調方式と符号化率に依存する。
【００９４】
一般に、サブフレーム中でユーザ装置によって送信可能な未符号化ビット数は次のとおり算出され得る。
【数３】
2012520643.tif 000008
【００９５】
ここで、Ｔはリソース割当てに従って送信可能なメッセージの未符号化ビットの最大数、ＮＲＢはサブフレーム内でユーザ装置が割り当てられたリソース・ブロック数、ＣＲは符号化率、すなわち、未符号化ビット数Ｍｕｎｃｏｄｅｄを符号化ビット数Ｍｃｏｄｅｄで割った値、およびＭＳは変調方式レベル、すなわち、一つの変調シンボルにマッピングされる符号化ビット数である。平易にするために、この式は、リソース・ブロックの一部を制御シグナリングまたは参照シンボル用に残しておけることは考慮に入れてない。
【００９６】
チャネル品質フィードバックを単一のサブフレーム送信内に適合させるためには、明らかに、メッセージ中の未符号化ビット数はビット数Ｔを超えてはならない。例えば、ユーザ装置がいくつかのコンポーネント・キャリアについての（詳細な）チャネル品質情報を報告しないことにより、メッセージの未符号化ビット数がビット数Ｔよりも低くなっている場合には、ダミー情報を送信することによっていかなるリソースも無駄にしないようにメッセージを埋めるが、その方法には様々なオプションが存在する。
【００９７】
以下のリストは、余剰ビット（余剰ビットＲ＝Ｔ−ＣＱによって決定され得る、ここでＣＱは第１および第２のチャネル品質フィールドの未符号化ビット数を示す）を再使用するための、または、未符号化ビット数を少なくとも減少させるための、いくつかの可能性を完全に網羅しているのではないが列挙したものである。
‐  ＣＱ−＞Ｔとなり、その結果Ｒが小さくなるように、メッセージの所望の埋め込み率を得るように符号率を変える、すなわち、ＣＲ＝Ｔ／ＮＲＢ・ＭＳに最も近い所定の符号率のセットから利用可能な符号率を使用する。この場合、メッセージはチャネル品質情報のみを伝達する。メッセージの受信側は、例えば、メッセージを復号するために符号化率のブラインド検出を行える。
‐  第２のチャネル品質フィールドのサブフィールドに対する追加のＦＥＣ／ＣＲＣのために余剰ビットＲを使用する。
‐  追加のフィードバック情報のために余剰ビットＲを使用する。例えば、第１のチャネル品質フィールド中のインジケータが、第２のチャネル品質フィールド中にコンポーネント・キャリアについてのさらなるチャネル品質情報が存在しないことを示す場合、第２のチャネル品質フィールド中でそのコンポーネント・キャリアについてのチャネル品質情報がなぜ報告されないのかをフィードバック受信側に知らせるために追加のビットが送信され得る。理由の非網羅的な例を以下にあげる。
‐  そのコンポーネント・キャリアに対してユーザ装置がＤＲＸモードである。
‐  ユーザ装置が他の周波数の測定に忙しいため、ユーザ装置がチャネル品質情報を測定できない（３ＧＰＰ  ＬＴＥにおいては、例えば、「測定ギャップ」として知られる）。
‐  ユーザ装置が悪いチャネル品質を測定したので、さらなるチャネル品質情報を送信しない。
‐  ユーザ装置がチャネル品質／チャネル品質情報要素を測定するために必要とされる、そのコンポーネント・キャリアの参照シンボルを検出できなかった。
‐  第２のチャネル品質フィールド中で報告される他のコンポーネント・キャリアについての追加の粒度（細かさ）または追加のチャネル品質情報要素／値のために余剰ビットＲを使用する。ビーム形成の目的のために予符号化が使用されるとき、例えば、干渉のために主のＰＭＩをネットワーク側が使用できない場合に、他のコンポーネント・キャリアについての、例えば、追加のまたは二次的なＰＭＩ／ＭＣＳＩ要素を報告できる。ＰＭＩは、一般に、送信に適用されるべき予符号化ベクター／マトリックスを指示し、そのようなものとして、使用されるべき送信ランクに依存すると言える。例えば、３ＧＰＰ  ＬＴＥにおいては、予符号化コードブック・サイズと予符号化マトリックスは送信ランクに依存する。したがって、報告に関しても、ＰＭＩ値とその許された値範囲またはそのサイズは、一般に、ＲＩ値に依存する。さらに、ネットワーク側でのマルチユーザ・スケジューリング制約により、直近のＲＩで報告されたランクを使用して端末へ送信することが常に可能ではない場合がある。したがって、例えば、主のＲＩよりも低い値を報告する二次的なＲＩを報告することが有効であり得るし、それに伴って二次的なＰＭＩ／ＭＣＳＩが報告されるはずであることを暗示できる。一般に、マルチユーザ・スケジューリングでは低いランクの送信を使用するほうがより容易であるので、主のＲＩ値よりも小さい二次的なＲＩ値を送信することが好ましいこともある。このようなオプションでは、第１のチャネル品質フィールドは、上記のような追加のチャネル品質情報が送信される対象のコンポーネント・キャリアの指示を好ましくは含む。別の例としては、より高いまたは中間の効率値をもつさらに多くの値を表現するために、表３に示したＭＣＳＩ値の粒度（細かさ）を拡張することが可能である。別の例としては、例えば、３ＧＰＰ  ＬＴＥシステムにおいて定義された通常のＰＭＩコードブックによって表現できないＰＭＩ値を指示することが可能である。
‐  第２のチャネル品質フィールド中でＣＱＩが報告される１つ以上のコンポーネント・キャリアについての周波数領域におけるより高い分解のために余剰ビットＲを使用する。例えば、チャネル品質情報を異なるサブバンド・サイズについて取得可能にし、指定のコンポーネント・キャリアについて、与えられるチャネル品質フィードバックは、第１のサブバンド・サイズとさらに第２のサブバンド・サイズについて取得されるようにする。
【００９８】
背景技術の節ですでに述べたように、単一の送信で二つの符号語が送信される可能性が存在する。前述の例示的な実施形態においては、フィードバック受信側（例えば、ノードＢ）からフィードバック送信側（例えば、ＵＥ）への単一の符号語（ＣＷ）送信モードの場合でチャネル品質情報が報告されることが例示的に仮定された。例えば、二つの符号語送信モードの場合には、チャネル品質情報フィードバックは、例えば、図１０に示したような１つではなく、２つのＷＢ  ＭＣＳＩ値、すなわち、符号語の各々に対して１つずつの値を含むことができる。これは、普及している送信モード、または、設定された報告モードに応じて適宜に拡張可能である。例えば、３ＧＰＰ  ＬＴＥにおける報告モード３‐１は、符号語当り１つのＷＢ  ＭＣＳＩとさらに符号語当りサブバンド当り１つのＭＣＳＩを含む。
【００９９】
以下では、複数の符号語のチャネル品質情報フィードバックへのいくつかの拡張について、図１０に関して概説した実施形態を例示的に基にした二つの符号語の場合について説明する。例えば、図１１と図１２に示した本発明の他の実施形態の拡張や三つ以上の符号語の場合の拡張も、もちろん想定されるが、それらは以下に説明する二つの符号語の場合のオプションの単純な拡張である。
１．第１のチャネル品質フィールドは、符号語０（ＣＷ０）だけに対するＷＢ  ＭＣＳＩを含む。それが「範囲外」（ＯｏＲ）である場合には、どちらの符号語に対してもさらなるＭＣＳＩ／ＰＭＩ／ＲＩは第２のチャネル品質フィールドに含まれない。それが「範囲外」（ＯｏＲ）ではない場合には、符号語０（ＣＷ０）に対するさらなるＭＣＳＩ／ＰＭＩ／ＲＩと符号語１（ＣＷ１）に対するすべてのＭＣＳＩ／ＰＭＩ／ＲＩ（ワイドバンドを含む）が第２のチャネル品質フィールド中に存在する。
２．第１のチャネル品質フィールドは、符号語０（ＣＷ０）に対するＷＢ  ＭＣＳＩとＣＷ１に対するＷＢ  ＭＣＳＩを含む。符号語０（ＣＷ０）と符号語１（ＣＷ１）に対するＷＢ  ＭＣＳＩが両方とも「範囲外」（ＯｏＲ）である場合には、符号語０（ＣＷ０）に対しても、符号語１（ＣＷ１）対してもさらなるＭＣＳＩ／ＰＭＩ／ＲＩは第２のチャネル品質フィールドに含まれない。そうでない場合には、符号語０（ＣＷ０）と符号語１（ＣＷ１）に対するさらなるＭＣＳＩ／ＰＭＩ／ＲＩが第２のチャネル品質フィールドに含まれる。
３．第１のチャネル品質フィールドは、符号語０（ＣＷ０）に対するＷＢ  ＭＣＳＩとＣＷ１に対するＷＢ  ＭＣＳＩを含む。符号語０（ＣＷ０）に対するＷＢ  ＭＣＳＩが「範囲外」（ＯｏＲ）である場合には、符号語０（ＣＷ０）のさらなるＭＣＳＩ／ＰＭＩ／ＲＩは第２のチャネル品質フィールドに含まれない。そうでない場合には、符号語０（ＣＷ０）のさらなるＭＣＳＩ／ＰＭＩ／ＲＩが第２のチャネル品質フィールドに含まれる。符号語１（ＣＷ１）に対するＷＢ  ＭＣＳＩが「範囲外」（ＯｏＲ）である場合には、符号語１（ＣＷ１）のさらなるＭＣＳＩ／ＰＭＩ／ＲＩは第２のチャネル品質フィールドに含まれない。そうでない場合には、符号語１（ＣＷ１）のさらなるＭＣＳＩ／ＰＭＩ／ＲＩが第２のチャネル品質フィールドに含まれる。
【０１００】
オプション３は、オプション１とオプション２の「間」のソリューションと見なすことができる。両方の符号語ＣＷ０とＣＷ１に対するＷＢ  ＭＣＳＩ要素が第１のチャネル品質フィールドに含まれるが、各符号語に対する追加の情報が第２のチャネル品質フィールドに含まれるか否かは個別に決定する。これは、チャネル品質情報オーバーヘッドを削減するためのより細かな粒度を可能にする。しかし、主要な動機がコンポーネント・キャリアを測定できないことを報告することである場合、このオプションは有効ではない。その場合は、第１のチャネル品質フィールド中のペイロードがオプション３よりも小さいので、オプション１がより好ましくなる。
【０１０１】
本発明の例示的な実施形態から分かるとおり、第１のチャネル品質フィールドの内容は、第２のチャネル品質フィールドのサイズおよび／または内容を指示する／決定するための決定的因子である。したがって、第２のチャネル品質フィールドに比べて第１のチャネル品質フィールドの、例えば、ノイズに対するエラー耐性を向上させることは有効であり得る。これは、例えば、第２のチャネル品質フィールドよりも多いＦＥＣ冗長性を第１のチャネル品質フィールドに追加することによって実現され得る。追加的に／代替的に、異なるＦＥＣ手法および／または符号率を（選択的に）使用して、第１のチャネル品質フィールドと第２のチャネル品質フィールドを別々の符号語に符号化してもよい。
【０１０２】
さらに、第１のチャネル品質フィールドの情報は、第２のチャネル品質フィールドの情報に使用される無線リソースによりも信頼性の高い無線リソース上で送信されるようにすることが可能である。これは、第１のチャネル品質フィールドの情報をサブフレームの参照シンボルに近接して置くことによって実現可能であり、そうすることによってフィードバック・メッセージ（特に、第１のチャネル品質フィールドについて）のチャネル推定の品質をできるだけ少ないチャネル推定エラーにとどめる。
【０１０３】
図１０と図１２は、追加の要素が第２のチャネル品質フィールドから第１のチャネル品質フィールドへ移動される可能性にふれている。実際には、第２のチャネル品質フィールド内の本文書に記述したいずれの要素でも第１のチャネル品質フィールドへ移動可能であり、第２のチャネル品質フィールドの内容のインジケータとして使用可能であることを理解されたい。例えば、ＷＢ  ＰＭＩフィードバックがビーム形成の目的のために使用される場合には、例えば、ＷＢ  ＭＣＳＩが「範囲外」である場合にもＷＢ  ＰＭＩ要素を報告することが有効であり得る。このコンポーネント・キャリアにスケジュールされたユーザ装置への送信がたとえないとしても、ＷＢ  ＰＭＩまたは同様のフィードバックがビーム形成または到来角度（またはさらに言えば、送信角度）の目的のために有効であり得る。したがって、ＷＢ  ＰＭＩ情報がすべてのコンポーネント・キャリアについて常に送信されるように、ＷＢ  ＰＭＩ情報を第１のチャネル品質フィールドに含めることが好ましい場合もある。
【０１０４】
以下では、移動端末（ＵＥ）がチャネル品質フィードバックを送信するようトリガされる際の３ＧＰＰ  ＬＴＥまたはＬＥＴ‐Ａシステム内の例示的な通信を説明する。図１３は、本発明の実施形態によりノードＢがＵＥからのＣＱＩ報告をトリガする、３ＧＰＰ  ＬＴＥまたはＬＥＴ‐Ａシステム内のノードＢとＵＥ間の例示的な通信を示す。
【０１０５】
前述したとおり、ダウンリンクでの通信に使用可能なコンポーネント・キャリアは、予め定義され、固定され得ると仮定できる。代替的に、ノードＢが、そのセル内または個々のＵＥへの通信に利用可能であるコンポーネント・キャリアを決定してもよい。通信に利用可能なコンポーネント・キャリアは、例えば、利用可能なコンポーネント・キャリアが無線セル当りに決定される場合、セル制御ノードＢによって各無線セル内にブロードキャストされるシステム・ブロードキャスト情報（ＳＢＩ）が入っている関連した制御シグナリングによって指示可能である。利用可能なコンポーネント・キャリアがユーザ装置の無線ベアラ（サービス）当りに決定される場合には、利用可能なコンポーネント・キャリアは、例えば、無線ベアラ設定手順の一部として、無線リソース制御シグナリングによってユーザ装置へ通信され得る（１３０１）。また、報告モードも同様な方法でネットワーク側によって設定され得る。報告モードは、無線セル当り、ユーザ装置当り、またはコンポーネント・キャリア当りにも設定可能である。
【０１０６】
一般に、ユーザ装置は、周期的なチャネル品質フィードバックをノードＢへ提供することが可能である。少なくとも３ＧＰＰ  ＬＴＥにおいては、周期的なチャネル品質フィードバックは、割り当てられたＣＱＩメッセージ・リソースによって与えられる、非常に限られたＣＱＩメッセージ・サイズによって特徴付けられる。本文書で述べたＣＱＩ報告のためのメッセージ・フォーマットに格納するような詳細な情報を報告するのに足りるアップリンクの容量がある場合には、周期的なチャネル品質フィードバックは、本文書に説明したチャネル品質報告のためのメッセージ・フォーマットを利用できる。一例として、すべてのコンポーネント・キャリアに対する第１のチャネル品質フィールドとｎ個までのコンポーネント・キャリアに対する第２のチャネル品質フィールドを伝送するのに十分である利用可能なＣＱＩメッセージ・サイズについては、ＣＱＩフィードバック送信側が第２のチャネル品質フィールドがきっかりｎ個または最大ｎ個のコンポーネント・キャリアに関係する情報を含むように、第１のチャネル品質フィールドの内容を意図的に設定する、本文書に説明したフォーマットと方法を使用できる。
【０１０７】
ノードＢがチャネル品質に関する非周期的な報告を得ようとする場合、ノードＢは、対応するトリガ・メッセージをユーザ装置（ＵＥ）へ送信する（１３０２）。図１３に示した例では、このトリガは、物理的ダウンリンク制御チャネル（ＰＤＣＣＨ）上でＬ１／Ｌ２制御シグナリング（Ｌ１／Ｌ２制御チャネル）を介してユーザ装置へ送信されると仮定される。さらに、このトリガは、物理的アップリンク共有チャネル（ＰＵＳＣＨ）上のＣＱＩ報告の送信用の関連したリソース割当て（ＲＡ）と共に送信されると例示的に仮定される。リソース割当ては、ＣＱＩ報告の送信のためのリソース・ブロックと変調および符号化方式をユーザ装置に指示する（ＵＥがＣＱＩ報告を埋めるために符号化率を変える―本文書中で前述したこれに対応する実施形態を参照―場合を除く、ここでは割り当てられたリソース・ブロックと変調方式だけをシグナリングすればよい）。
【０１０８】
トリガは、通信に利用可能なすべてのコンポーネント・キャリアについてのチャネル品質フィードバックをトリガするものであり得る。代替的に、トリガは、個別のコンポーネント・キャリアのみに対するＣＱＩ報告をトリガすることもできる。例えば、ノードＢによって送信されたトリガ・メッセージ（１３０２）は、利用可能なコンポーネント・キャリアの各々に関連付けられたトリガ・ビットを含むビットマップを含むことができ、トリガビットがセットされている場合、そのコンポーネント・キャリアについてのＣＱＩ報告をポーリングする。
【０１０９】
ＣＱＩ報告のトリガに応答して、ユーザ装置（ＵＥ）は、ユーザ装置がＤＲＸモードではないコンポーネント・キャリアであり、個々にＣＱＩフィードバックを提供すべき各コンポーネント・キャリアのチャネル品質を測定する（１３０３）。この測定は、好ましくは、ノードＢによって送信される、既知の位置にある参照シンボルを頼みにしている。ＵＥは、測定されたチャネル状態で最高のスペクトル効率を与えるＲＩ、ＰＭＩ、ＭＣＳＩ（該当に応じて）を得るために、例えば、相関計算と仮説計算を実行できる。その後、ユーザ装置は測定結果を評価し（１３０４）、各コンポーネント・キャリアについてチャネル品質フィードバックをどの程度の詳細レベルで提供すべきかを決定する。報告モード（コンポーネント・キャリア当り報告されるのが適切である実際のＣＱＩ要素を決定する）と報告すべきコンポーネント・キャリアはどれであるかのユーザ装置の決定に応じて、ユーザ装置は、本文書中に説明した様々な実施形態の一つによるＣＱＩ報告フォーマット（例えば、図９〜図１２を参照）を使用してＣＱＩ報告を作成する。ＣＱＩ報告フォーマットによっては、ユーザ装置は、選択的に、ＣＱＩ報告内にＣＱＩフィードバックをユーザ・データおよび／または追加の制御情報と多重化することができる。その後、ユーザ装置は、ＰＵＳＣＨ上の割り当てられたアップリンク・リソースを用いて、作成したＣＱＩ報告をノードＢへ送信する（１３０５）。
【０１１０】
ＣＱＩ報告がすべてのコンポーネント・キャリアに対して、またはコンポーネント・キャリアの一部のサブセットに対してノードＢによって要求されたかにかかわらず、第１のチャネル品質フィールドは、第２のチャネル品質フィールドの内容を明確に判断するための、利用可能なコンポーネント・キャリアの各々に対応するフラグまたはチャネル品質測度を常に含む。
【０１１１】
例えば、ノードＢが利用可能なコンポーネント・キャリア#１〜#５のうちのコンポーネント・キャリア#２と#３についてのＣＱＩ報告をトリガしたとする。ユーザ装置は、これに応じて、ＣＱＩ報告の第１のチャネル品質フィールドのコンポーネント・キャリア#１、#４、および #５用の各サブフィールド中で、これらのコンポーネント・キャリアについての追加情報は第２のチャネル品質フィールドに含まれていないことを示すことができる。コンポーネント・キャリア#２と#３については、ユーザ装置は、測定結果を考慮して、各コンポーネント・キャリアについての完全なＣＱＩ報告がふさわしいか否かを評価でき、指定のコンポーネント・キャリアについてはＣＱＩ報告の第１のチャネル品質フィールド中のＣＱＩフィードバックだけを含める（すなわち、そのコンポーネント・キャリアについての追加のＣＱＩ情報は第２のチャネル品質フィールド中に含まれない）か否かを決定できる。
【０１１２】
代替的な実現では、個別のＣＱＩ報告がトリガされたコンポーネント・キャリアについては、ユーザ装置は、常に、第１および第２のチャネル品質フィールド中でＣＱＩ情報を送信するようにできる。すべての利用可能なコンポーネント・キャリアについてＣＱＩ報告がトリガされる場合には、ユーザ装置は、さらに詳細なＣＱＩ情報がＣＱＩ報告の第２のチャネル品質フィールド中に含まれるべきコンポーネント・キャリアはどれであるかを自由に決定できる。
【０１１３】
ノードＢではＣＱＩ報告を受信後、ノードＢはＣＱＩフィードバックを評価し、続いて自無線セル内の各ユーザ装置をスケジュールするためにそれを使用できる（１３０６）。図１３に示した例示的な実施形態では、ノードＢは、ＰＤＣＣＨを介してリソース割当てが入っているＬ１／Ｌ２制御チャネルをユーザ装置（ＵＥ）へ送信する（１３０７）ことによって、同時に（すなわち、ＰＤＣＣＨ上のリソース割当てと同じサブフレーム内で）割り当てたＰＤＳＣＨリソースを用いてダウンリンク・データをＵＥへ送信する（１３０８）ことによってユーザ装置（ＵＥ）をスケジュールすると仮定される。
【０１１４】
本発明の別の実施形態は、ハードウェアおよびソフトウェアを使用した、上述した様々な実施形態の実現に関係する。本発明の多様な実施形態は、本文書で説明した本発明の様々な実施形態による機能をコンピューティング・デバイスに実行させる実行可能な命令によって適切に制御されるコンピューティング・デバイス（プロセッサ）を使用して実現または実施され得ることが認識される。コンピューティング・デバイスまたはプロセッサは、例えば、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）またはその他のプログラム可能な論理デバイス等であり得る。本発明の多様な実施形態は、上記のデバイスの組合せによって実施または実現されてもよい。
【０１１５】
さらに、本発明の多様な実施形態は、プロセッサで実行されるまたは直接ハードウェアに組み込むソフトウェア・モジュールを用いても実現可能である。また、ソフトウェア・モジュールとハードウェア実装の組合せも可能である。ソフトウェア・モジュールは、コンピュータで読取り可能などんな種類の記憶媒体3/4例えば、ＲＡＭ、ＥＰＲＯＭ、ＥＥＰＲＯＭ、フラッシュ・メモリ、レジスタ、ハード・ディスク、ＣＤ−ＲＯＭ、ＤＶＤ等に記憶されてもよい。
【０１１６】
上記の実施形態の大部分は、通信システムの３ＧＰＰベースのアーキテクチャに関連して概説されており、以上の節で使用された用語は３ＧＰＰの用語に主に関係する。しかし、３ＧＰＰベースのアーキテクチャにかかわる多様な実施形態の用語と説明は、本発明の原理と概念を上記のシステムに限定するように意図されてはいない。
【０１１７】
また、前述の背景技術の節で述べた詳細な説明は、本文書に説明した主に３ＧＰＰの特徴を生かした例示的な実施形態をよりよく理解してもらうためのものであり、移動通信ネットワークにおけるプロセスおよび機能のここで述べた特定の実現に本発明を限定するものと理解すべきではない。しかしながら、本文書で提案された改良は、背景技術の節で説明したアーキテクチャに容易に適用可能である。さらに、本発明の概念は、３ＧＰＰによって現在検討中のＬＴＥ  ＲＡＮやそのエンハンスメント（ＬＴＥ‐Ａ）に容易に使用することもできる。
【０１１８】
以上の文面において、本発明の様々な実施形態とその変形を説明した。具体的な実施形態の形で示した本発明へのいろいろな変形および／または修正が、広義に説明された本発明の精神または範囲を逸脱しない限りにおいてなされ得ることは当業者によって理解されるであろう。
【図１】
2012520643.tif 000011
【図２】
2012520643.tif 000012
【図３】
2012520643.tif 000013
【図４】
2012520643.tif 000014
【図５】
2012520643.tif 000015
【図６】
2012520643.tif 000016
【図７】
2012520643.tif 000017
【図８】
2012520643.tif 000018
【図９】
2012520643.tif 000019
【図１０】
2012520643.tif 000020
【図１１】
2012520643.tif 000021
【図１２】
2012520643.tif 000022
【図１３】
2012520643.tif 000023
【手続補正書】
【提出日】平成23年11月16日(2011.11.16)
【手続補正１】
【補正対象書類名】特許請求の範囲
【補正対象項目名】全文
【補正方法】変更
【補正の内容】
【特許請求の範囲】
【請求項１】
通信システムのチャネル品質を報告するためのメッセージであって、
既知のビット数からなる第１のチャネル品質フィールドと、
可変のビット数からなる第２のチャネル品質フィールドと、を含み、
前記第２のチャネル品質フィールドのビット数および構成は、前記第１のチャネル品質フィールドのビットの内容によって指示される、メッセージ。
【請求項２】
制御情報および／またはユーザ・データを伝えるためのフィールドをさらに含む、請求項１に記載のメッセージ。
【請求項３】
前記第１のチャネル品質フィールドは、複数のコンポーネント・キャリアの各々についての第１の品質測度を示し、さらに、前記コンポーネント・キャリアの各々について、前記第２のチャネル品質フィールドが前記各コンポーネント・キャリアに適用される第２のチャネル品質測度を含むか否かを示す、請求項１または２に記載のメッセージ。
【請求項４】
前記第１のチャネル品質フィールドは、前記第２のチャネル品質フィールドが前記各コンポーネント・キャリアに関連した制御情報を含むか否かを示す、請求項３に記載のメッセージ。
【請求項５】
前記第１のチャネル品質フィールドの前記既知のビット数は、基地局と通信端末間との間の通信に利用可能なコンポーネント・キャリアの数に依存する、請求項１〜４の何れか１項に記載のメッセージ。
【請求項６】
前記第１のチャネル品質フィールドは、ある数のサブフィールドからなり、
各サブフィールドは、前記各コンポーネント・キャリアに関連付けられ、
前記サブフィールドの数は、基地局と通信端末間との間の通信に利用可能な前記コンポーネント・キャリアの数によって定義される、
請求項１〜５の何れか１項に記載のメッセージ。
【請求項７】
前記第１のチャネル品質フィールドの前記各サブフィールドのサイズは、前記各コンポーネント・キャリアに対して適用された複数のチャネル品質報告モードの何れか一つの報告モードに依存する、請求項６に記載のメッセージ。
【請求項８】
前記第２のチャネル品質フィールドは、ある数のサブフィールドに分割され、
前記第２のチャネル品質フィールドの各サブフィールドのサイズは、前記第２のチャネル品質フィールドの各サブフィールドに関連付けられたコンポーネント・キャリアに対して適用された前記複数のチャネル品質報告モードの何れか一つの報告モードに依存する、請求項６または７に記載のメッセージ。
【請求項９】
前記第１のチャネル品質フィールドは複数のフラグを含み、
各フラグは、基地局と端末間の通信に利用可能な複数のコンポーネント・キャリアの各コンポーネント・キャリアに関連付けられ、
前記第１のチャネル品質フィールドの各フラグは、各コンポーネント・キャリアについてのチャネル品質測度が前記第２のチャネル品質フィールド中に存在するか否かを示す、請求項６〜８の何れか１項に記載のメッセージ。
【請求項１０】
前記第１のチャネル品質フィールドは複数のチャネル品質測度を含み、
各チャネル品質測度は、基地局と端末間の通信に利用可能な複数のコンポーネント・キャリアの各コンポーネント・キャリアのチャネル品質測度を与え、
前記第１のチャネル品質フィールドの各チャネル品質測度は、各コンポーネント・キャリアについての第２のチャネル品質測度が前記第２のチャネル品質フィールド中に存在するか否かを示す、
請求項６〜８の何れか１項に記載のメッセージ。
【請求項１１】
前記第１のチャネル品質フィールドに含まれた各コンポーネント・キャリアのチャネル品質測度は、ワイドバンド変調および符号化方式インジケータ（ＷＢ ＭＣＳＩ）および／またはワイドバンド・ランク・インジケータ（ＷＢ ＲＩ）からなる、請求項１〜８、１０の何れか１項に記載のメッセージ。
【請求項１２】
あるコンポーネント・キャリアについての前記ワイドバンド変調および符号化方式インジケータまたは前記ワイドバンド・ランク・インジケータが「範囲外」を示す場合、そのコンポーネント・キャリアのチャネル品質測度は前記第２のチャネル品質フィールド中に含まれない、請求項１１に記載のメッセージ。
【請求項１３】
通信システムにおいてメッセージを送信するための方法であって、
無線インタフェース上のリソースを割り当てる制御シグナリングを受信するステップと、
請求項１〜１２の何れか１項に記載のメッセージを作成するステップと、
前記割り当てられたリソースを用いて前記メッセージを送信するステップと、
を有する方法。
【請求項１４】
複数のコンポーネント・キャリアが基地局と端末間の通信に利用可能であり、
前記コンポーネント・キャリアの各々に対して、複数のチャネル品質報告モードのうちから報告モードを設定する制御シグナリングを受信するステップをさらに有し、
前記送信されるメッセージは、前記個々のコンポーネント・キャリアに対して設定された前記報告モードに従って作成される、
請求項１３に記載の方法。
【請求項１５】
基地局と端末との間の通信に利用可能な複数のコンポーネント・キャリアの少なくとも一部のサブセットのチャネル品質を測定することによって、それらのコンポーネント・キャリアについてのチャネル品質測度を得るステップと、
前記チャネル品質が測定された各個別のコンポーネント・キャリアについて、前記チャネル品質測定結果に基づいて、前記各コンポーネント・キャリアについてのチャネル品質測度を前記メッセージの第２のチャネル品質フィールド中に含めるか否かを決定するステップとをさらに有する、請求項１３または１４に記載の方法。
【請求項１６】
各コンポーネント・キャリアについての前記チャネル品質の測定は、前記コンポーネント・キャリアの全帯域幅に対するワイドバンド測定を行なうことを含み、
前記各コンポーネント・キャリアについて、チャネル品質測度を前記メッセージの前記第２のチャネル品質フィールドに含めるか否かの決定は、前記ワイドバンド測定の結果に基づく、請求項１５に記載の方法。
【請求項１７】
各コンポーネント・キャリアについての前記チャネル品質の測定は、各コンポーネント・キャリアについて、ワイドバンド変調および符号化方式インジケータおよび／またはワイドバンド・ランク・インジケータを決定することを含む、請求項１５または１６に記載の方法。
【請求項１８】
ネットワーク側から移動端末への通信に利用可能な前記複数のコンポーネント・キャリアをシグナリングするステップをさらに有する、請求項１３〜１７の何れか１項に記載の方法。
【請求項１９】
無線インタフェース上の前記リソースを割り当てる前記制御シグナリングは、前記メッセージの符号化ビット総数Ｔを示し、
前記方法は、次の式
【数１】
2012520643.tif 000024
ここで、ＣＱ１は第１のチャネル品質フィールドの符号化ビット数であり、ＣＱ２は第２のチャネル品質フィールドの符号化ビット数である、が満たされるように、前記第１および第２のチャネル品質フィールドのビットを符号化するための符号化率を適応させるステップをさらに有する、請求項１３〜１８の何れか１項に記載の方法。
【請求項２０】
無線インタフェース上の前記リソースを割り当てる前記制御シグナリングは、前記メッセージの符号化ビット総数Ｔを示し、
前記方法は、次の式
【数２】
2012520643.tif 000025
ここで、Ｒは符号化された制御情報ビットおよび／または符号化されたユーザ・データ・ビットの数であり、ＣＱ１は第１のチャネル品質フィールドの符号化ビット数であり、ＣＱ２は第２のチャネル品質フィールドの符号化ビット数である、が満たされるように、符号化された制御情報ビットおよび／または符号化されたユーザ・データビットを前記メッセージに追加するステップをさらに有する、請求項１３〜１８の何れか１項に記載の方法。
【請求項２１】
無線インタフェース上の前記リソースを割り当てる前記制御シグナリングは、変調方式を示し、
前記方法は、前記メッセージの符号化されたビットを前記変調方式に従って変調するステップをさらに有する、請求項１９または２０に記載の方法。
【請求項２２】
前記方法は、基地局との通信に利用可能な複数のコンポーネント・キャリアの一つに対して不連続受信モードになる通信端末によって実行され、
前記通信端末は、前記メッセージの前記第１のチャネル品質フィールド中で、前記端末が不連続受信モードであるコンポーネント・キャリアについてのチャネル品質情報は前記メッセージの前記第２のチャネル品質フィールド中で送信されないことを示す、請求項１３〜２１の何れか１項に記載の方法。
【請求項２３】
通信システムの無線インタフェースを介してメッセージを基地局へ送信するための通信端末であって、
無線インタフェース上のリソースを割り当てる制御シグナリングを受信するための受信器と、
請求項１〜１１の何れか１項に記載の前記メッセージを作成するための処理ユニットと、
割り当てられた前記リソースを用いて前記メッセージを前記基地局へ送信するための送信器と、
を備える通信端末。
【請求項２４】
請求項１３〜２２の何れか１項に記載の方法の各ステップを実行するように適合された手段をさらに備える、請求項２３に記載の通信端末。
【請求項２５】
通信システムの無線インタフェースを介してメッセージを通信端末へ送信するための基地局であって、
無線インタフェース上のリソースを割り当てる制御シグナリングを送信するための送信器と、
請求項１〜１２の何れか１項に記載の前記メッセージを作成するための処理ユニットと、
割り当てた前記リソースを用いて前記メッセージを前記通信端末へ送信するための送信器と、
を備える基地局。
【請求項２６】
請求項１３〜２１の何れか１項に記載の方法の各ステップを実行するように適合された手段をさらに備える、請求項２５に記載の基地局。
【国際調査報告】
2012520643.tif 000026
2012520643.tif 000027
2012520643.tif 000028